(57)【特許請求の範囲】
【請求項１】
第１のランクに基づいて第１のノードによってユーザ装置（ＵＥ）へと送られるデータの第１の送信を受信することと、
前記第１のランクより高い第２のランクに基づいて、前記第１のノード、第２のノード、または前記第１のノードと前記第２のノードの両方によって前記ＵＥへと送られる前記データの第２の送信を受信することと、ここにおいて、前記ＵＥは、前記ＵＥへの前記データの各送信のために使われる各ランクを知らされる、
を備える、ワイヤレス通信のための方法。
【請求項２】
前記第１のノードから第１の基準信号を受信することと、
前記第１の基準信号に基づいて前記第１のランクを決定することと、
前記第２のノードから第２の基準信号を受信することと、
前記第２の基準信号に基づいて前記第２のランクを決定することとをさらに備える、請求項１に記載の方法。
【請求項３】
前記第１のノードからの第１の基準信号と、前記第２のノードからの第２の基準信号とを同時に受信することと、
前記第１の基準信号および第２の基準信号に基づいて、前記第２のランクを決定することとをさらに備える、請求項１に記載の方法。
【請求項４】
前記第１のノードが基地局に相当し、前記第２のノードがリレーに相当する、請求項１に記載の方法。
【請求項５】
前記第１のランクが、前記基地局と前記リレーとの間のバックホールチャネルに基づいて、または、前記基地局と前記ＵＥとの間の直接のチャネルに基づいて決定される、請求項４に記載の方法。
【請求項６】
前記第２のランクが、前記リレーと前記ＵＥとの間のアクセスチャネルに基づいて、または前記アクセスチャネルと前記直接のチャネルとを備える複合チャネルに基づいて決定される、請求項５に記載の方法。
【請求項７】
第１のランクに基づいて第１のノードによってユーザ装置（ＵＥ）へと送られるデータの第１の送信を受信し、前記第１のランクより高い第２のランクに基づいて、前記第１のノード、または第２のノード、または前記第１のノードと前記第２のノードの両方によって前記ＵＥへと送られる前記データの第２の送信を受信するように構成され、ここにおいて、前記ＵＥは、前記ＵＥへの前記データの各送信のために使われる各ランクを知らされる、少なくとも１つのプロセッサを備える、ワイヤレス通信のための装置。
【請求項８】
前記少なくとも１つのプロセッサが、前記第１のノードから第１の基準信号を受信し、前記第１の基準信号に基づいて前記第１のランクを決定し、前記第２のノードから第２の基準信号を受信し、前記第２の基準信号に基づいて前記第２のランクを決定するように構成される、請求項７に記載の装置。
【請求項９】
前記少なくとも１つのプロセッサが、前記第１のノードからの第１の基準信号と前記第２のノードからの第２の基準信号とを同時に受信し、前記第１の基準信号および前記第２の基準信号に基づいて前記第２のランクを決定するように構成される、請求項７に記載の装置。
【請求項１０】
第１のランクに基づいて第１のノードによってユーザ装置（ＵＥ）へと送られるデータの第１の送信を識別することと、
前記第１のランクより高い第２のランクに基づいて、前記第１のノード、第２のノード、または前記第１のノードと前記第２のノードの両方によって、前記ＵＥへと前記データの第２の送信を送ることと、ここにおいて、前記ＵＥは、前記ＵＥへの前記データの各送信のために使われる各ランクを知らされる、
を備える、ワイヤレス通信のための方法。
【請求項１１】
前記第２のノードにおいてデータの前記第１の送信を受信することと、
前記第１の送信を復号して前記データを復元することと、
前記復元されたデータに基づいて、前記データの前記第２の送信を生成することとをさらに備える、請求項１０に記載の方法。
【請求項１２】
第１のランクに基づいて第１のノードによってユーザ装置（ＵＥ）へと送られるデータの第１の送信を識別し、前記第１のランクより高い第２のランクに基づいて、前記第１のノード、または第２のノード、または前記第１のノードと前記第２のノードの両方によって、前記ＵＥへと前記データの第２の送信を送るように構成され、ここにおいて、前記ＵＥは、前記ＵＥへの前記データの各送信のために使われる各ランクを知らされる、少なくとも１つのプロセッサを備える、ワイヤレス通信のための装置。
【請求項１３】
前記少なくとも１つのプロセッサが、前記第２のノードにおいてデータの前記第１の送信を受信し、前記第１の送信を復号して前記データを復元し、前記復元されたデータに基づいて前記データの前記第２の送信を生成するように構成される、請求項１２に記載の装置。
【請求項１４】
前記データの前記第１の送信は、前記第１のノードのみによって送られ、
前記データの前記第２の送信は、前記第２のノードのみによって、または、前記第１のノードと前記第２のノードの両方によって、送られ、
前記第２のノードは、前記ＵＥと前記第１のノードとの間の通信を中継し、
前記第１の送信と前記第２の送信は、ハイブリッド自動再送要求（ＨＡＲＱ）送信を含む、
請求項１に記載の方法。
【請求項１５】
前記データの前記第１の送信は、前記第１のノードのみによって送られ、
前記データの前記第２の送信は、前記第２のノードのみによって、または、前記第１のノードと前記第２のノードの両方によって、送られ、
前記第２のノードは、前記ＵＥと前記第１のノードとの間の通信を中継し、
前記第１の送信と前記第２の送信は、ハイブリッド自動再送要求（ＨＡＲＱ）送信を含む、
請求項７に記載の装置。
【請求項１６】
前記データの前記第１の送信は、前記第１のノードのみによって送られ、
前記データの前記第２の送信は、前記第２のノードのみによって、または、前記第１のノードと前記第２のノードの両方によって、送られ、
前記第２のノードは、前記ＵＥと前記第１のノードとの間の通信を中継し、
前記第１の送信と前記第２の送信は、ハイブリッド自動再送要求（ＨＡＲＱ）送信を含む、
請求項１０に記載の方法。
【請求項１７】
前記データの前記第１の送信は、前記第１のノードのみによって送られ、
前記データの前記第２の送信は、前記第２のノードのみによって、または、前記第１のノードと前記第２のノードの両方によって、送られ、
前記第２のノードは、前記ＵＥと前記第１のノードとの間の通信を中継し、
前記第１の送信と前記第２の送信は、ハイブリッド自動再送要求（ＨＡＲＱ）送信を含む、
請求項１２に記載の装置。
【発明の詳細な説明】
【技術分野】
【０００１】
本出願は、全体が参照により本明細書に組み込まれる、２０１０年１１月５日に出願された「ＴＲＡＮＳＭＩＳＳＩＯＮ  ＯＦ  ＲＥＦＥＲＥＮＣＥ  ＳＩＧＮＡＬＳ  ＡＮＤ
ＤＡＴＡ  ＴＯ  ＳＵＰＰＯＲＴ  ＣＯＭＭＵＮＩＣＡＴＩＯＮ  ＢＹ  ＲＥＬＡＹＳ」と題する米国仮出願第６１／４１０，７８０号の優先権を主張する。
【０００２】
本開示は、一般には、通信に関し、より詳細には、ワイヤレス通信をサポートするための技法に関する。
【背景技術】
【０００３】
ワイヤレス通信ネットワークは、音声、ビデオ、パケットデータ、メッセージング、放送などの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークがある。
【０００４】
ワイヤレスネットワークは、いくつかのユーザ装置（ＵＥ）のための通信をサポートすることができるいくつかの基地局を含み得る。ワイヤレスネットワークはまた、費用のかかる可能性がある有線のバックホールリンクを必要とせずに、ワイヤレスネットワークのカバレッジと容量とを改善できるリレーを含み得る。ＵＥは、任意の所与の瞬間において、１つまたは複数の基地局および／または１つまたは複数のリレーと通信することができる。基地局および／またはリレーは、ＵＥに対して良好な性能を提供するような方式で、基準信号とデータとを送信することができる。
【発明の概要】
【０００５】
複数のノードから基準信号を受信して、ノードのチャネル状態情報（ＣＳＩ）を決定するための技法が、本明細書で開示される。ノードは、基地局、リレー、または何らかの他の送信エンティティであってよい。１つのシナリオでは、複数のノードは、データをＵＥに送信する基地局およびリレーに相当し得る。別のシナリオでは、複数のノードは、ＵＥへの協調マルチポイント（ＣｏＭＰ）送信をサポートする複数のセルに相当し得る。複数のノードは、それぞれ異なる設定に基づいて基準信号を送信することができる。基準信号は、ＣＳＩ基準信号（ＣＳＩ−ＲＳ）などであってよい。各ノードの設定は、いつ、どこで、かつ／またはどのように、ノードが自身の基準信号を送信するかを示し得る。ＵＥは、これらのノードから受信された基準信号、ならびにＵＥによって報告された各ＣＳＩを決定するのにどのサブフレームを使うべきかについての指示に基づいて、異なるノードおよび／またはノードの異なる組合せに対して、ＣＳＩを決定することができる。
【０００６】
一設計では、ＵＥは、第１のサブフレームにおいて、および場合によっては第３のサブフレームにおいて、第１のノードから第１の基準信号を受信することができる。ＵＥはまた、第１のサブフレームおよび第２のサブフレームにおいて、第２のノードから第２の基準信号を受信することができる。第１の基準信号は、第１のサブフレームでは第２の基準信号と一致し得るが、第２または第３のサブフレームでは一致しないことがある。２つの基準信号は、たとえば、同一の時間周波数リソース上の、または場合によっては異なる時間周波数リソース上の、同一のサブフレームで送信される場合、「一致」し得る。
【０００７】
ＵＥは、第１のサブフレーム、第２のサブフレーム、および第３のサブフレームに対して別々にＣＳＩを決定するための指標を受信することができる。ＵＥは、各サブフレームにおいてどのノードが基準信号を送信するかを、認識していることもあり、していないこともある。一設計では、ＵＥは、第１のサブフレームにおいて第１のノードおよび第２のノードからＵＥによって受信された第１の基準信号および第２の基準信号に基づいて、第１のサブフレームの第１のＣＳＩを決定することができる。ＵＥは、第２のサブフレームにおいて第２のノードからＵＥによって受信された第２の基準信号にのみ基づいて、第２のサブフレームの第２のＣＳＩを決定することができる。ＵＥは、第３のサブフレームにおいて第１のノードからＵＥによって受信された第１の基準信号にのみ基づいて、第３のサブフレームの第３のＣＳＩを決定することができる。ＵＥは、第１のＣＳＩと、第２のＣＳＩと、第３のＣＳＩとを報告することができる。ＵＥはその後、第１のノードのみによって、または第２のノードのみによって、または第１のノードと第２のノードの両方によって送られたデータ送信を、第１のＣＳＩ、第２のＣＳＩ、および／または第３のＣＳＩに基づいて受信することができる。本明細書で説明された技法は、３つ以上のノードに拡張され得る。
【０００８】
本開示の様々な態様および特徴が、以下でさらに詳細に説明される。
【図面の簡単な説明】
【０００９】
【図１】ワイヤレス通信ネットワークを示す図。
【図２】基地局とＵＥとの間のリレーを介した通信を示す図。
【図３】複数のセルから単一のＵＥへのＣｏＭＰ送信を示す図。
【図４】周波数分割複信（ＦＤＤ）のフレーム構造を示す図。
【図５Ａ】２つのアンテナポートに対するＣＳＩ−ＲＳパターンを示す図。
【図５Ｂ】４つのアンテナポートに対するＣＳＩ−ＲＳパターンを示す図。
【図５Ｃ】８つのアンテナポートに対するＣＳＩ−ＲＳパターンを示す図。
【図６】基準信号が一部のサブフレームでは一致するが他のサブフレームでは一致しないように、２つのノードによって基準信号を送信する一設計を示す図。
【図７】基準信号が一部のサブフレームでは一致するが他のサブフレームでは一致しないように、２つのノードによって基準信号を送信する一設計を示す図。
【図８】基準信号が一部のサブフレームでは一致するが他のサブフレームでは一致しないように、２つのノードによって基準信号を送信する一設計を示す図。
【図９】ＵＥによる通信のためのプロセスを示す図。
【図１０】ノードによる通信をサポートするためのプロセスを示す図。
【図１１】複数のノードからランクの異なる送信をＵＥによって受信するためのプロセスを示す図。
【図１２】ノードによるＵＥへの送信を送るためのプロセスを示す図。
【図１３】ＵＥおよびノードの設計のブロック図。
【図１４】ＵＥおよびノードの別の設計のブロック図。
【発明を実施するための形態】
【００１０】
本明細書で説明する技法は、ＣＤＭＡ、ＴＤＭＡ、ＦＤＭＡ、ＯＦＤＭＡ、ＳＣ−ＦＤＭＡおよび他のワイヤレスネットワークなどの、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ）（登録商標）、Ｔｉｍｅ  Ｄｉｖｉｓｉｏｎ  Ｓｙｎｃｈｒｏｎｏｕｓ  ＣＤＭＡ（ＴＤ−ＳＣＤＭＡ）、およびＣＤＭＡの他の変形例を含む。ｃｄｍａ２０００は、ＩＳ−２０００規格と、ＩＳ−９５規格と、ＩＳ−８５６規格とをカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−ＦｉおよびＷｉ−Ｆｉ  Ｄｉｒｅｃｔ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。周波数分割複信（ＦＤＤ）と時分割複信（ＴＤＤ）の両方における３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様は、以下ではＬＴＥ／ＬＴＥ−Ａに関して説明され、以下の説明の大部分でＬＴＥ／ＬＴＥ−Ａの用語が使用される。
【００１１】
図１は、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）と他のネットワークエンティティとを含み得る。ｅＮＢは、ＵＥおよびリレーと通信できるエンティティであってよく、ノードＢ、基地局、アクセスポイントなどとも呼ばれ得る。ｅＮＢは、ある特定の地理的エリアに対する通信カバレッジを提供することができ、そのカバレッジエリア内に位置するＵＥのための通信をサポートすることができる。ネットワーク容量を改善するために、ｅＮＢの全体的なカバレッジエリアは複数（たとえば、３つ）のより小さなエリアに区分され得る。より小さなエリアの各々は、それぞれのｅＮＢサブシステムによってサービスされ得る。３ＧＰＰでは、「セル」という用語は、このカバレッジエリアをサービスするｅＮＢおよび／またはｅＮＢサブシステムのカバレッジエリアを指し得る。ｅＮＢは、１つまたは複数の（たとえば、３つの）セルをサポートし得る。
【００１２】
ｅＮＢは、マクロセル、ピコセル、フェムトセル、および／または他のタイプのセルに通信カバレッジを提供し得る。マクロセルは、比較的大きな地理的エリア（たとえば、半径数キロメートル）をカバーすることができ、サービスに加入しているＵＥによる無制限アクセスを可能にし得る。ピコセルは、比較的小さな地理的エリアをカバーすることができ、サービスに加入しているＵＥによる無制限アクセスを可能にし得る。フェムトセルは、比較的小さな地理的エリア（たとえば、家）をカバーすることができ、フェムトセルとの関連を有するＵＥ（たとえば、限定加入者グループ（ＣＳＧ）中のＵＥ）による制限付きアクセスを可能にし得る。図１に示す例では、ワイヤレスネットワーク１００は、３つのマクロセル１１２ａ（マクロセル１）、１１２ｂ（マクロセル２）、および１１２ｃ（マクロセル３）のためのマクロｅＮＢ１１０と、ピコセル１２４のためのピコｅＮＢ１１４と、フェムトセル１２６のためのホームｅＮＢ（ＨｅＮＢ）１１６とを含む。ネットワークコントローラ１４０は、ｅＮＢのセットに結合していてよく、これらのｅＮＢのための調整および制御を提供し得る。
【００１３】
リレーは、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る、エンティティであり得る。リレーは、中継局、リレーｅＮＢなどとも呼ばれ得る。リレーは、他のＵＥのための送信を中継するＵＥであってもよい。図１では、リレー１２０は、ｅＮＢ１１０とＵＥ１３０との間の通信を支援するために、ｅＮＢ１１０およびＵＥ１３０と通信することができる。
【００１４】
ＵＥ１３０から１３６は、ワイヤレスネットワーク全体に分散していてよく、各ＵＥは固定式または移動式であり得る。ＵＥはまた、移動局、端末、アクセス端末、加入者ユニット、局などとも呼ばれ得る。ＵＥは、携帯電話、スマートフォン、タブレット、ワイヤレス通信デバイス、携帯情報端末（ＰＤＡ）、ワイヤレスモデム、ハンドヘルドデバイス、ラップトップコンピュータ、コードレス電話、ワイヤレスローカルループ（ＷＬＬ）局、ネットブック、スマートブックなどであってよい。ＵＥは、ｅＮＢ、リレー、他のＵＥなどと通信することができてよい。
【００１５】
図２は、ｅＮＢ１１０とＵＥ１３０との間の、リレー１２０を介した通信を示す。リレー１２０は、バックホールリンクを介してｅＮＢ１１０と通信することができ、アクセスリンクを介してＵＥ１３０と通信することができる。バックホールリンク上で、リレー１２０は、バックホールダウンリンクを介してｅＮＢ１１０からダウンリンク送信を受信することができ、バックホールアップリンクを介してｅＮＢ１１０にアップリンク送信を送ることができる。アクセスリンク上で、リレー１２０は、アクセスダウンリンクを介してＵＥ１３０にダウンリンク送信を送ることができ、アクセスアップリンクを介してＵＥ１３０からアップリンク送信を受信することができる。ｅＮＢ１１０は、リレー１２０のドナーｅＮＢと呼ばれ得る。ｅＮＢ１１０は、リレー（たとえばリレー１２０）によって支援される可能性があり得るＵＥ（たとえばＵＥ１３０）を特定することができる。図２はまた、ｅＮＢ１１０とＵＥ１３０と１３２との間の、直接の通信も示す。たとえば、ｅＮＢ１１０は、直接ダウンリンクを介してＵＥ１３２にダウンリンク送信を送ることができ、直接アップリンクを介してＵＥ１３２からアップリンク送信を受信することができる。
【００１６】
リレー１２０は、透過型リレーであっても非透過型リレーであってもよい。非透過型リレー（またはタイプ１リレー）は、ＵＥにはｅＮＢのように見えることがあり、ＵＥはリレーの存在を認識し得る。透過型リレー（またはタイプ２リレー）は、ＵＥに対して透過的であってよく、ＵＥはリレーの存在を認識し得ない。
【００１７】
リレー１２０は、周波数帯域の使用に関して、帯域内または帯域外で動作し得る。帯域内の動作では、バックホールリンクおよびアクセスリンクが、同一の帯域を共有する。帯域外の動作では、バックホールリンクおよびアクセスリンクは、異なる帯域を占有する。リレー１２０はまた、半二重モードまたは全二重モードで動作し得る。半二重モードでは、リレー１２０は、所与のサブフレームにおいて、所与の帯域で送信と受信のいずれか（ただしこれらの両方ではない）を行うことができる。全二重モードでは、リレー１２０は、同一のサブフレームで、送信と受信の両方を行うことができる。
【００１８】
ワイヤレスネットワーク１００は、ダウンリンクネットワーク多入力多出力（ＭＩＭＯ）とも呼ばれ得る、ＣｏＭＰ送信をサポートすることができる。ＣｏＭＰ送信では、複数のセルからの信号がターゲットＵＥにおいて組み合わされ得るように、かつ／または、セル間の干渉が干渉を受けるＵＥにおいて低減され得るように、複数のセルは、同一の時間周波数リソースで、１つまたは複数のＵＥにデータを送信するように調整し得る。結合処理（ｊｏｉｎｔ  ｐｒｏｃｅｓｓｉｎｇ）または協調ビームフォーミング（ｃｏｏｒｄｉｎａｔｅｄ  ｂｅａｍｆｏｒｍｉｎｇ）が、ＣｏＭＰ送信のために使われ得る。結合処理では、複数のセルは、ターゲットＵＥにおけるビームフォーミング利得を実現するために、かつ／または、１つまたは複数の近隣のセルによってサービスされる１つまたは複数の干渉を受けるＵＥにおける干渉の低減を実現するために、選択されている様々なセルにおけるプリコーディングベクトルによって、１つまたは複数のＵＥにデータを送信することができる。協調ビームフォーミングでは、単一のセルは、ターゲットＵＥに対するビームフォーミング利得と、１つまたは複数の干渉を受けるＵＥに対する干渉の低減とを調整することによって、セルに対して選択される１つまたは複数のプリコーディングベクトルを用いて、データをターゲットＵＥに送信することができる。結合処理と協調ビームフォーミングの両方において、データをターゲットＵＥに送信するために１つまたは複数のセルによって使われるプリコーディングベクトルは、セル間の干渉を低減するために、ターゲットＵＥのチャネルとともに他のＵＥのチャネルを考慮することによって選択され得る。
【００１９】
図３は、複数のセル１１０ａ（セル１）〜１１０ｍ（セルＭ）から単一のＵＥ１３２へのＣｏＭＰ送信の例を示す。ＵＥは、ＵＥが測定できＵＥへのＣｏＭＰ送信に参加できるすべてのセルを含み得る、ＣｏＭＰ測定セットを有し得る。これらのセルは、同一のｅＮＢまたは異なるｅＮＢに属していてよく、チャネル利得、経路損失、受信信号強度、受信信号品質などに基づいて選択され得る。たとえば、ＣｏＭＰ測定セットは、チャネル利得または受信信号品質が閾値を超えるセルを含み得る。ＵＥは、ＣｏＭＰ測定セット中のセルのＣＳＩを、決定し報告することができる。ＵＥは、結合処理または協調ビームフォーミングによって、ＣｏＭＰ測定セット中の１つまたは複数のセルによりサービスされ得る。ＵＥをサービスする１つまたは複数のセルは、ＣｏＭＰ測定セット中のセルのすべてまたはサブセットを含んでよく、ＵＥの知識なしで動的に選択されてよい。
【００２０】
一般的に、ＵＥは、任意の所与の瞬間において、１つまたは複数のノードによってサービスされ得る。ノードは、ｅＮＢ、リレー、セルなどであってよい。ＵＥをサービスするノードは、一定であっても時間とともに動的に変化してもよく、ＵＥの知識を有していてもいなくてもよい。
【００２１】
ＵＥは、ノードによるＵＥへのデータ送信をサポートするために、ノードのセットのＣＳＩを決定し報告することができる。ノードは、ＵＥに知られていても知られていなくてもよい様々な設定に基づいて、基準信号を送信することができる。以下で説明されるように、ＵＥは、これらのノードから受信された基準信号、ならびに各ＣＳＩを決定するのにどのサブフレームを使うべきかについての指示に基づいて、異なるノードおよび／またはノードの異なる組合せに対して、異なるＣＳＩを決定することができる。
【００２２】
基準信号を受信しＣＳＩを決定するための技法は、ＦＤＤシステムおよびＴＤＤシステムのために使われ得る。ＦＤＤシステムでは、ダウンリンクとアップリンクには別々の周波数チャネルが割り当てられる。ダウンリンク送信とアップリンク送信は、２つの周波数チャネルで同時に送られ得る。ＴＤＤシステムでは、ダウンリンクとアップリンクは同じ周波数チャネルを共有する。ダウンリンク送信とアップリンク送信は、異なる時間間隔中に同じ周波数チャネルで送られ得る。明快のために、本技法のいくつかの態様が、ＦＤＤシステムに関して以下で説明される。
【００２３】
図４は、ＬＴＥにおいてＦＤＤのために使用されるフレーム構造４００を示す。ダウンリンクおよびアップリンクの各々の送信タイムラインは、無線フレームの単位に区分される。各無線フレームは、１０ミリ秒（ｍｓ）の期間を有し、０〜９のインデックスをもつ１０個のサブフレームに区分される。各サブフレームは２つのスロットを含む。したがって、各無線フレームは、０〜１９のインデックスをもつ２０個のスロットを含む。各スロットは、Ｌ個のシンボル期間、たとえば、（図４に示されるように）ノーマルサイクリックプレフィックスの場合は７つのシンボル期間、または拡張サイクリックプレフィックスの場合は６つのシンボル期間を含む。各サブフレーム中の２Ｌ個のシンボル期間には、０〜２Ｌ−１のインデックスが割り当てられる。
【００２４】
ＬＴＥは、ダウンリンク上では直交周波数分割多重化（ＯＦＤＭ）を利用し、アップリンク上では単一搬送波周波数分割多重化（ＳＣ−ＦＤＭ）を利用する。ＯＦＤＭおよびＳＣ−ＦＤＭは、周波数レンジを、一般にトーン、ビンなどとも呼ばれる複数（ＮFFT個）の直交サブキャリアに分割する。各サブキャリアは、データによって変調され得る。一般に、変調シンボルは、ＯＦＤＭでは周波数領域で、ＳＣ−ＦＤＭでは時間領域で送られる。隣接するサブキャリア間の間隔は一定であってよく、サブキャリアの総数（ＮFFT）はシステム帯域幅に依存し得る。たとえば、ＮFFTは、１．４、３、５、１０、または２０メガヘルツ（ＭＨｚ）のシステム帯域幅に対して、それぞれ１２８、２５６、５１２、１０２４、または２０４８に等しくてよい。
【００２５】
ダウンリンクのために利用可能な時間周波数リソースは、リソースブロックに区分され得る。各リソースブロックは、１つのスロット中で１２個のサブキャリアをカバーすることができ、いくつかのリソース要素を含み得る。各リソース要素は、１つのシンボル期間中に１つのサブキャリアをカバーすることができ、実数値または複素数値であり得る１つの変調シンボルを送るために使用され得る。ダウンリンク上では、ＯＦＤＭシンボルが、サブフレームの各シンボル期間中に送信され得る。アップリンク上では、ＳＣ−ＦＤＭＡシンボルが、サブフレームの各シンボル期間中に送信され得る。
【００２６】
図４はまた、ＬＴＥにおける、ダウンリンク上でのいくつかの基準信号の例示的な送信を示す。基準信号は、送信機および受信機によって経験的に知られる信号であり、パイロットと呼ばれることもある。ｅＮＢは、各サブフレームのあるシンボル期間において、ｅＮＢによってサポートされる各セルのためのセル固有基準信号（ＣＲＳ）を送信することができる。ＣＲＳは、たとえば、セル識別情報（ＩＤ）に基づいて生成された、セルに固有の基準信号である。ＣＲＳは、チャネルの測定、コヒーレントな復調などのような様々な目的に使われ得る。ｅＮＢはまた、あるサブフレームのあるシンボル期間において、ｅＮＢによってサポートされる各セルのためのＣＳＩ基準信号（ＣＳＩ−ＲＳ）を送信することもできる。ＣＳＩ−ＲＳは、チャネルの測定、チャネルのフィードバック報告などのような様々な目的に使われ得る。図４に示される例では、ＣＳＩ−ＲＳは、各無線フレームのサブフレーム０および５において、５ｍｓごとに送信される。ＣＳＩ−ＲＳはまた、他の周期で、かつ／または他のサブフレームにおいて送信され得る。
【００２７】
図５Ａから図５Ｃは、ノード（たとえばセル）によるＣＲＳの送信を示す。通常のサイクリックプレフィックスでは、ノードは、（ｉ）サブフレームのシンボル期間０、４、７および１１において２つのアンテナポートから、または、（ｉｉ）サブフレームのシンボル期間０、１、４、７、８および１１において４つのアンテナポートから、ＣＲＳを送信することができる。ノードは、所与のシンボル期間において２つのアンテナポートから、かつ、各アンテナポートに対してサブキャリア６個分離間されたサブキャリアで、ＣＲＳを送信することができる。アンテナポート０（または２）のＣＲＳのために使用されるサブキャリアは、アンテナポート１（または３）のＣＲＳのために使用されるサブキャリアとインターレースされ得る。
【００２８】
ノードは、あるセルのために、１つ、２つ、４つ、または８つのアンテナポートからＣＳＩ−ＲＳを送信することもできる。ＣＳＩ−ＲＳのために使われるアンテナポートは、ＣＳＩ−ＲＳポートと呼ばれることがあり、ＣＲＳのために使われるアンテナポートは、ＣＲＳポートと呼ばれることがある。ＣＳＩ−ＲＳポートの数は、ＣＲＳポートの数に一致しても一致しなくてもよい。
【００２９】
図５Ａはまた、ＦＤＤのための、２つのＣＳＩ−ＲＳポート０および１のＣＳＩ−ＲＳパターンのセットも示す。各ＣＳＩ−ＲＳパターンは、１つのリソースブロックペア中の点線の楕円内に、２つのリソース要素を含む。たとえば、１つのＣＳＩ−ＲＳパターンは、２つのリソース要素Ａ０とＡ１とを含み、別のＣＳＩ−ＲＳパターンは、２つのリソース要素Ｂ０とＢ１とを含む、などである。各ＣＳＩ−ＲＳパターンについて、ノードは、両方のリソース要素（たとえばＡ０およびＡ１）を用いてＣＳＩ−ＲＳポート０から第１のＣＳＩ−ＲＳを送信することができ、両方のリソース要素を用いてＣＳＩ−ＲＳポート１から第２のＣＳＩ−ＲＳを送信することもでき、第１のＣＳＩ−ＲＳおよび第２のＣＳＩ−ＲＳは、符号分割多重化（ＣＤＭ）されている。ノードは、ある特定のＣＳＩ−ＲＳパターンを割り当てられてよく、割り当てられたＣＳＩ−ＲＳパターンによってカバーされる２つのリソース要素で、２つのＣＳＩ−ＲＳポートからＣＳＩ−ＲＳを送信することができる。
【００３０】
図５Ｂは、ＦＤＤのための、４つのＣＳＩ−ＲＳポート０から３のＣＳＩ−ＲＳパターンのセットを示す。各ＣＳＩ−ＲＳパターンは、１つのリソースブロックペア中の２つの点線の楕円内に、４つのリソース要素を含む。たとえば、１つのＣＳＩ−ＲＳパターンは、４つのリソース要素Ａ０からＡ３を含み、別のＣＳＩ−ＲＳパターンは、４つのリソース要素Ｂ０からＢ３を含む、などである。ノードは、ある特定のＣＳＩ−ＲＳパターンを割り当てられてよく、割り当てられたＣＳＩ−ＲＳパターンによってカバーされる４つのリソース要素で、４つのＣＳＩ−ＲＳポートからＣＳＩ−ＲＳを送信することができる。
【００３１】
図５Ｃは、ＦＤＤのための、８つのＣＳＩ−ＲＳポート０から７のＣＳＩ−ＲＳパターンのセットを示す。各ＣＳＩ−ＲＳパターンは、１つのリソースブロックペア中の４つの点線の楕円内に、８つのリソース要素を含む。たとえば、１つのＣＳＩ−ＲＳパターンは、８つのリソース要素Ａ０からＡ７を含み、別のＣＳＩ−ＲＳパターンは、８つのリソース要素Ｂ０からＢ７を含む、などである。ノードは、ある特定のＣＳＩ−ＲＳパターンを割り当てられてよく、割り当てられたＣＳＩ−ＲＳパターンによってカバーされる８つのリソース要素で、８つのＣＳＩ−ＲＳポートからＣＳＩ−ＲＳを送信することができる。
【００３２】
一般に、ノードは、点線の楕円内の２つのリソース要素で、ＣＳＩ−ＲＳポートからＣＳＩ−ＲＳを送信することができる。ノードが複数のＣＳＩ−ＲＳポートを有する場合、ノードは、ＣＤＭを用いて、１つの点線の楕円内の２つのリソース要素で、２つのＣＳＩ−ＲＳポートからＣＳＩ−ＲＳを送信することができる。
【００３３】
図５Ａから図５Ｃに示されるように、ノードは、２つ、４つ、または８つのＣＳＩ−ＲＳポートからＣＳＩ−ＲＳを送信することができる。より少数のＣＳＩ−ＲＳポートのＣＳＩ−ＲＳパターンが、より多数のＣＳＩ−ＲＳポートのＣＳＩ−ＲＳパターンのサブセットになるように、２つ、４つ、および８つのＣＳＩ−ＲＳポートのＣＳＩ−ＲＳパターンが入れ子にされる。たとえば、２つのＣＳＩ−ＲＳポートのためのリソース要素Ａ０とＡ１とを有するＣＳＩ−ＲＳパターンは、４つのＣＳＩ−ＲＳポートのためのリソース要素Ａ０からＡ３を有するＣＳＩ−ＲＳパターンのサブセットであり、このＣＳＩ−ＲＳパターンは、８つのＣＳＩ−ＲＳポートのためのリソース要素Ａ０からＡ７を有するＣＳＩ−ＲＳパターンのサブセットである。あるノードのためのＣＳＩ−ＲＳパターンは、そのノードからのＣＳＩ−ＲＳが近隣のノードからのＣＳＩ−ＲＳと干渉しないように（または干渉が最小限となるように）選択され得る。異なるＣＳＩ−ＲＳパターンは、互いの時間および／または周波数のシフト（すなわち、シンボルおよび／またはサブキャリアのシフト）として見られ得る。各ｅＮＢは、サブフレームごとに変化しない固有のシフトを割り当てられ得る。各ＣＳＩ−ＲＳパターンは一定であってよく、ＣＳＩ−ＲＳのリソース要素の位置は、セルＩＤとは無関係に一定であってよく、時間または周波数に応じて変化しなくてよい。ＵＥから見ると、時間により不変の時間／周波数シフトが、セルにおいて使われる。ＵＥは、ある特定のＣＳＩ−ＲＳパターンおよび特定の周期とともにセルによって構成されてよく、ＵＥがそのセルからＣＳＩ−ＲＳを受信すると予測するすべてのサブフレーム中で、同一のＣＳＩ−ＲＳパターンを探すことができる。
【００３４】
図５Ａから図５Ｃは、通常のサイクリックプレフィックスを有するＦＤＤのための異なる数のＣＳＩ−ＲＳポートのためのＣＳＩ−ＲＳパターンを示す。ＣＳＩ−ＲＳパターンはまた、拡張サイクリックプレフィックスを有するＦＤＤ、通常のサイクリックプレフィックスを有するＴＤＤ、拡張サイクリックプレフィックスを有するＴＤＤなどのための、異なる数のＣＳＩ−ＲＳポートに対して定義され得る。
【００３５】
ノードは、ノードが１つのＣＳＩ−ＲＳポートを有する場合には、リソースブロックペアにおいて、１つのＣＳＩ−ＲＳポートからの２つのリソース要素でＣＳＩ−ＲＳを送信することができる。ノードは、ノードが複数のＣＳＩ−ＲＳポートを有する場合には、リソースブロックペアにおいて、ＣＳＩ−ＲＳポート当たり１つのリソース要素でＣＳＩ−ＲＳを送信することができる。したがって、ＣＳＩ−ＲＳは、周波数および時間においてまばらであり得る。ＣＳＩ−ＲＳはまた、プリコーディングを伴わずに送信されてもよく、上で説明された様々な目的で、すべてのＵＥによって使われてよい。
【００３６】
表１は、ＣＳＩ−ＲＳの送信のためにノードに対して設定され得るパラメータのセットを列挙する。このパラメータのセットは、ノードのための、ＣＳＩ−ＲＳ設定の一部であり得る。ＣＳＩ−ＲＳの送信のための他のパラメータも、ノードに対して設定されてよい。ＣＳＩ−ＲＳ設定のためのパラメータは、より高次の層を介して、ＵＥへシグナリングされ得る。
【表１】
0005889979.tif 000002
【００３７】
ノードからのＣＳＩ−ＲＳは、ノードのＣＳＩを決定するためにＵＥによって使われ得る。ＣＳＩは、ランク指標（ＲＩ）、チャネル品質指標（ＣＱＩ）、プリコーディング行列指標（ＰＭＩ）、チャネル方向指標（ＣＤＩ）などを含み得る。ＲＩまたはランクは、データ送信のために使うべき層（または空間チャネル）の数を示し得る。ＣＱＩは、各々の符号語または各々の層のチャネル品質を示し得る。ＰＭＩは、送信機によってデータをプリコーディングするのに使うべき、プリコーディング行列を示し得る。ＣＤＩは、データを送信するための空間的な方向（たとえば、支配的な固有ベクトル）を示し得る。ＣＳＩは、データを送信するために使われる他の情報も含み得る。
【００３８】
ＣＳＩ−ＲＳは、ｅＮＢとＵＥとの間の通信をサポートするために、リレーによって送信され得る。図２に戻って参照すると、リレー１２０は、ｅＮＢ１１０とＵＥ１３０との間の通信をサポートすることができる。リレー１２０は、透過型リレーであっても非透過型リレーであってもよい。透過型リレーでは、ＵＥ１３０は、リレーの存在を認識する必要はなく、リレーが存在するかどうかに関係なく、同じ方式で処理を実行する。透過型リレーは、ＵＥおよびＣＳＩ−ＲＳのためのデータを搬送する、物理ダウンリンク共有チャネル（ＰＤＳＣＨ）を送信することができる。一設計では、透過型リレーは、ＵＥまたはＣＲＳのための制御情報を搬送する、物理ダウンリンク制御チャネル（ＰＤＣＣＨ）を送信できない。透過型リレーは、ドナーｅＮＢの一部であってよく、自身固有のセルＩＤを有さなくてよい（しかしリレーＩＤは有し得る）。無線リソース管理（ＲＲＭ）の少なくとも一部は、ドナーｅＮＢによって制御されてよく、ＲＲＭの一部は、透過型リレーの中に位置し得る。非透過型リレーでは、ＵＥ１３０は、リレーの存在を認識し、リレーのために特別に処理を実行することができる。非透過型リレーは、ｅＮＢであると考えられてよく、自身固有のセルＩＤを有し得る。非透過型リレーは、ＰＤＣＣＨ、ＰＤＳＣＨ、ＣＲＳ、およびＣＳＩ−ＲＳを送信することができる。
【００３９】
ワイヤレスネットワークは、ハイブリッド自動再送要求（ＨＡＲＱ）をサポートすることができる。ＨＡＲＱでは、送信機（たとえばｅＮＢ）は、受信機（たとえばＵＥ）へのトランスポートブロック（またはパケット）の送信を送ることができ、トランスポートブロックが受信機によって正しく復号されるか、または最大回数の送信が送られるか、または何らかの他の終了条件に遭遇するまで、１回または複数回の追加の送信を送ることができる。トランスポートブロックの最初の送信は、新たな送信と呼ばれることがあり、トランスポートブロックの各々の追加の送信は、再送信と呼ばれることがある。トランスポートブロックの各送信の後で、受信機は、トランスポートブロックのすべての受信された送信を復号し、トランスポートブロックの復元を試みることができる。
【００４０】
図２のダウンリンク上でのＨＡＲＱでは、ｅＮＢ１１０は、ダウンリンク上でトランスポートブロックの最初の送信を送ることができる。ｅＮＢ１１０は、（ｉ）リレー１２０のみが最初の送信の後にトランスポートブロックを正確に復号できるように選択された速度で、かつ／または、（ｉｉ）ＵＥ１３０が目標の数の送信の後でトランスポートブロックを正確に復号できるように選択された速度で、最初の送信を送ることができる。リレー１２０およびＵＥ１３０は各々、ｅＮＢ１１０からの最初の送信を受信することができ、最初の送信を復号してトランスポートブロックを復元することができる。リレー１２０は、ｅＮＢ１１０への良好なチャネルを有することがあり、最初の送信に基づいて、トランスポートブロックを正確に復号することが可能になり得る。ＵＥ１３０は、ｅＮＢ１１０へのより劣ったチャネルを有することがあり、トランスポートブロックを誤って復号することがあり、アップリンク上で否定応答（ＮＡＫ）を送ることがある。ＮＡＫに応答して、リレー１２０のみ、またはｅＮＢ１１０とリレー１２０の両方が、ＵＥ１３０へのトランスポートブロックの第２の送信（または再送信）を送ることができる。ＵＥ１３０は、トランスポートブロックの第２の送信を受信することができ、第１および第２の送信を復号してトランスポートブロックを復元することができる。ＵＥ１３０へのトランスポートブロックの後続の送信（もしあれば）は、同様の方式で起こり得る。
【００４１】
したがって、リレー１２０は、ｅＮＢ１１０からのトランスポートブロックの復号に成功した後で、ＵＥ１３０へトランスポートブロックの１つまたは複数の送信を送ることによって、ｅＮＢ１１０からＵＥ１３０へのダウンリンク上でのデータ送信を支援することができる。リレー１２０はまた、ＵＥ１３０からのトランスポートブロックの復号に成功した後で、ｅＮＢ１１０へトランスポートブロックの１つまたは複数の送信を送ることによって、ＵＥ１３０からｅＮＢ１１０へのアップリンク上でのデータ送信を支援することができる。ダウンリンク上でのデータ送信のために、ＵＥ１３０は、リレー１２０とｅＮＢ１１０の両方が同時にＵＥ１３０へ送信する場合には、これらの両方からの送信をコヒーレントに組み合わせることができる。リレー１２０は、リレー１２０からの送信が、ｅＮＢ１１０から来ているかのようにＵＥ１３０に見え得るような方式で、データを送信することができる。したがって、ＵＥ１３０は、リレー１２０およびｅＮＢ１１０からの送信の任意の特別な組合せを実行する必要はない。アップリンク上でのデータ送信のために、ｅＮＢ１１０は、リレー１２０とＵＥ１３０の両方が同時にｅＮＢ１１０へ送信する場合には、これらの両方からの送信をコヒーレントに組み合わせることができる。
【００４２】
ＣＳＩ−ＲＳはまた、ＣｏＭＰ送信をサポートするためにセルによって送信され得る。各セルは、チャネル推定のためにＵＥによって使用され得る、ＣＳＩ−ＲＳを送信することができる。ＵＥは、ＣｏＭＰ測定セット中の各セルに対するチャネル応答を、そのセルから受信されたＣＳＩ−ＲＳに基づいて推定することができる。ＵＥは、各セルｍのためのチャネル行列Ｈmを得ることができる。一設計では、ＵＥは、
【数１】
0005889979.tif 000003
【００４３】
としてチャネル行列の特異値分解を実行することができ、セルｍからＵＥへのチャネルの固有モードの固有ベクトルの行列Ｖmを得ることができる。ＵＥは、セルｍのチャネルベクトルを得るためのコードブックに基づいて、セルｍのためのＱ個の最良の固有ベクトルを量子化することができる。ＵＥはまた、他の方式で、関心のある各セルのチャネルベクトルを求めることもできる。いずれの場合でも、チャネルベクトルは、（ｉ）空間ビームの方向を示すチャネル方向と、（ｉｉ）空間ビームの強度を示す大きさとを含み得る。ＵＥは、ＵＥへのＣｏＭＰ送信をサポートするために、関心のあるすべてのセルのためのチャネルベクトルを備えるＣＳＩを送信することができる。
【００４４】
一般に、ＵＥは、複数のノードからＵＥへのデータ送信をサポートするために、ＣＳＩを決定して報告することができる。複数のノードは、複数のノードからのＣＳＩ−ＲＳが一部のフレームでは一致し他のサブフレームでは一致しないように、ＣＳＩ−ＲＳを送信することができる。ＵＥは、ノードから受信されたＣＳＩ−ＲＳに基づいて、各ノードまたはノードの各々の組合せに対して、ＣＳＩを決定することができる。ＵＥは、複数のノードが関与していることを認識せずに、異なるノードまたはノードの異なる組合せに対して、ＣＳＩを決定し報告することができる。
【００４５】
図２に示されるリレーのシナリオでは、ＵＥ１３０は、ｅＮＢ１１０によって送信されるＣＳＩ−ＲＳおよび／またはリレー１２０によって送信されるＣＳＩ−ＲＳに基づいて、ＣＳＩを決定することができる。一設計では、以下のＣＳＩ−ＲＳの組合せの１つまたは複数がサポートされ得る。
【００４６】
１．ｅＮＢ１１０のみによって送信されるＣＳＩ−ＲＳ  ｅＮＢ１１０のみのためのＣＳＩを決定し直接ダウンリンクを測定するためにＵＥ１３０によって使われる（かつ場合によっては、バックホールダウンリンクを測定するためにリレー１２０によっても使われる）。
【００４７】
２．リレー１２０のみによって送信されるＣＳＩ−ＲＳ  アクセスダウンリンクを測定しリレー１２０のみのためのＣＳＩを決定するためにＵＥ１３０によって使われる。
【００４８】
３．ｅＮＢ１１０とリレー１２０の両方によって送信されるＣＳＩ−ＲＳ  ｅＮＢ１１０とリレー１２０の両方のためのＣＳＩを決定するためにＵＥ１３０によって使われる。
【００４９】
上記のＣＳＩ−ＲＳの組合せ１、２および３は、トランスポートブロックの再送信のための、ｅＮＢ１１０のみからの送信、またはリレー１２０のみからの送信、またはｅＮＢ１１０とリレー１２０の両方からの結合送信をサポートするために使われ得る。ｅＮＢ１１０およびリレー１２０のためのＣＳＩ−ＲＳ設定は、ｅＮＢ１１０からのＣＳＩ−ＲＳおよびリレー１２０からのＣＳＩ−ＲＳが、一部のサブフレームでは直交し、一部の他のフレームでは重複するようなものであり得る。ＣＳＩ−ＲＳは、同一の時間周波数リソースでｅＮＢ１１０およびリレー１２０によって送信されると、重複する。したがって、ｅＮＢ１１０からのＣＳＩ−ＲＳは、一部の時間に単独で現れ、リレー１２０からのＣＳＩ−ＲＳは、一部の他の時間に単独で現れ、ｅＮＢ１１０とリレー１２０の両方からのＣＳＩ−ＲＳは、一部の時間に重複する。別の設計では、ｅＮＢ１１０およびリレー１２０からのＣＳＩ−ＲＳは、同一のサブフレームで、しかし直交するリソースで（たとえば、異なる時間、周波数、および／または符号リソースを用いて）送信されてよく、より多数のＣＳＩ−ＲＳポートを有するｅＮＢからのＣＳＩ−ＲＳとして、ＵＥ１３０には見え得る。これは、以下で説明されるような、様々な方法で実現され得る。
【００５０】
上記のＣＳＩ−ＲＳの組合せ１および２は、トランスポートブロックの再送信のための、ｅＮＢ１１０のみからの送信、またはリレー１２０のみからの送信をサポートするために使われ得る。ｅＮＢ１１０およびリレー１２０のためのＣＳＩ−ＲＳ設定は、ｅＮＢ１１０からのＣＳＩ−ＲＳがリレー１２０からのＣＳＩ−ＲＳと直交するようなものであってよい。これは、ｅＮＢ１１０およびリレー１２０に、異なるサブフレームで、または同一のサブフレームにおいて異なる時間周波数リソースで自身のＣＳＩ−ＲＳを送信させることなどによって、実現され得る。
【００５１】
図３に示されるＣｏＭＰのシナリオでは、ＵＥ１３２は、各セルによって送信されるＣＳＩ−ＲＳに基づいて、ＣＳＩを決定することができる。一設計では、以下のＣＳＩ−ＲＳの組合せの１つまたは複数がサポートされ得る。
【００５２】
１．１つのセルのみによって送信されるＣＳＩ−ＲＳ  ダウンリンクチャネルを測定し１つのセルのＣＳＩを決定するためにＵＥ１３２によって使われる。
【００５３】
２．複数のセルによって送信されるＣＳＩ−ＲＳ  ダウンリンクチャネルを測定し複数のセルのＣＳＩを決定するためにＵＥ１３２によって使われる。
【００５４】
上記のＣＳＩ−ＲＳの組合せ２では、複数のセルが、所与のサブフレームにおいて、同一の時間周波数リソースまたは異なる時間周波数リソースで、自身のＣＳＩ−ＲＳを送信することができる。セルが異なる時間周波数リソースで自身のＣＳＩ−ＲＳを送信する場合、ＵＥ１３２は、各セルによって送信されるＣＳＩ−ＲＳに基づいて、各セルのＣＳＩを決定することができる。セルが同一の時間周波数リソースで自身のＣＳＩ−ＲＳを送信する場合、ＵＥ１３２は、これらのセルのための全体のチャネルのＣＳＩを決定することができる。
【００５５】
一般に、任意の数のＣＳＩ−ＲＳの組合せがサポートされ得る。各々のＣＳＩ−ＲＳの組合せは、異なるノードまたは異なるノードの組合せからの、ＣＳＩ−ＲＳに相当し得る。リレーの状況またはＣｏＭＰのシナリオに対して上で列挙されたＣＳＩ−ＲＳの組合せは、様々な方式でサポートされ得る。２つのノードによるＣＳＩ−ＲＳ送信のいくつかの例示的な設計が、以下で説明される。
【００５６】
図６は、２つのノード１およびノード２に対して異なるＣＳＩ−ＲＳの周期を有する、上で説明されたＣＳＩ−ＲＳの組合せをサポートする、第１の設計を示す。図２に示されるリレーのシナリオでは、ノード１はリレー１２０に相当してよく、ノード２はｅＮＢ１１０に相当してよい。図３のＣｏＭＰのシナリオでは、ノード１およびノード２は、ＣｏＭＰ測定セット中の２つのセルに相当し得る。ＣｏＭＰ測定セットは、簡単にするために図６には示されていない、追加のセルも含み得る。
【００５７】
図６に示される設計では、ノード２は、Ｋ個のサブフレームという周期で自身のＣＳＩ−ＲＳを送信することができ、Ｋは、５、１０、２０、４０、８０、または何らかの他の値であってよい。ノード１は、Ｌ個のサブフレームという周期で自身のＣＳＩ−ＲＳを送信することができ、ＬはＫの整数倍であり得る。ノード１からのＣＳＩ−ＲＳに対するサブフレームオフセットと、ノード２からのＣＳＩ−ＲＳに対するサブフレームオフセットは、ノード２が自身のＣＳＩ−ＲＳを送信するのと同じサブフレームで、ノード１が自身のＣＳＩ−ＲＳを送信するように、選択され得る。一設計では、ノード１およびノード２のＣＳＩ−ＲＳ設定は、ＵＥにシグナリングされ得る。別の設計では、ノード２のＣＳＩ−ＲＳ設定（ノード１のＣＳＩ−ＲＳ設定ではなく）は、ＵＥにシグナリングされ得る。
【００５８】
一設計では、ＵＥは、（ｉ）一部のサブフレーム（たとえば、サブフレームｔ2、ｔ4およびｔ6）においてノード２のみからのＣＳＩ−ＲＳを、（ｉｉ）一部の他のサブフレーム（たとえば、サブフレームｔ1、ｔ3およびｔ5）においてノード１とノード２の両方からのＣＳＩ−ＲＳを受信することができる。一設計では、ノード２は、ノード１が自身のＣＳＩ−ＲＳを送信する一部のサブフレーム（たとえばサブフレームｔ7）において、自身のＣＳＩ−ＲＳの送信を飛ばすことができる。ＵＥは次いで、これらのサブフレームにおいて、ノード１のみからＣＳＩ−ＲＳを受信し、ノード１のＣＳＩを決定することができる。別の設計では、ノード２は、ノード１が自身のＣＳＩ−ＲＳを送信するすべてのサブフレームにおいて、ノード２のＣＳＩ−ＲＳを送信することができる。ＵＥは次いで、（ｉ）ノード２のみからのＣＳＩ−ＲＳに基づいてノード２のために導出されるチャネル推定、および、（ｉｉ）ノード１とノード２の両方からのＣＳＩ−ＲＳに基づいてノード１とノード２の両方のために導出される複合チャネル推定に基づいて、ノード１のみのＣＳＩを決定することができる。
【００５９】
図６に示されるように、ＵＥは、ノード１およびノード２のＣＳＩ−ＲＳ設定の知識を有していてよく、この知識に基づいてＣＳＩを決定することができる。ノード１とノード２の両方が自身のＣＳＩ−ＲＳを送信する各サブフレームにおいて、ＵＥは、これらのノードからのＣＳＩ−ＲＳに基づいて、両方のノードに対するチャネル測定結果を更新することができる。ノード１のみが自身のＣＳＩ−ＲＳを送信する各サブフレームにおいて、ＵＥは、このノードからのＣＳＩ−ＲＳに基づいて、ノード１に対するチャネル測定結果を更新することができる。ノード２のみが自身のＣＳＩ−ＲＳを送信する各サブフレームにおいて、ＵＥは、このノードからのＣＳＩ−ＲＳに基づいて、ノード２に対するチャネル測定結果を更新することができる。たとえば、所与のサブフレームにおいて、ＵＥは、そのサブフレームでＣＳＩ−ＲＳを送信しない他のノードのためではなく、そのサブフレームでＣＳＩ−ＲＳを送信するノードのみのためのチャネル測定結果を、フィルタリングすることができる。図６に示される例では、ＵＥは、サブフレームｔ1において、次いでサブフレームｔ3において、次いでサブフレームｔ5などにおいて、ノード１とノード２の両方のためのチャネル測定結果を更新することができる。ＵＥは、サブフレームｔ2において、次いでサブフレームｔ4において、次いでサブフレームｔ6などにおいて、ノード２のためのチャネル測定結果を更新することができる。ＵＥは、サブフレームｔ7などにおいて、ノード１のためのチャネル測定結果を更新することができる。
【００６０】
図７は、２つのノード１およびノード２に対して同一のＣＳＩ−ＲＳの周期を有する、上で説明されたＣＳＩ−ＲＳの組合せをサポートする、第２の設計を示す。この設計では、ノード１は、２Ｋ個のサブフレームという周期で、自身のＣＳＩ−ＲＳを送信することができ、Ｋは任意の適切な値であってよい。ノード２は、２Ｋ個のサブフレームという周期で、自身のＣＳＩ−ＲＳを送信することができる。サブフレームオフセットは、ノード１が自身のＣＳＩ−ＲＳを送信するサブフレームが、ノード２が自身のＣＳＩ−ＲＳを送信するサブフレームとインターレースされ得るように、選択され得る。そうすると、ノード１とノード２の両方のためのＣＳＩ−ＲＳは、Ｋ個のサブフレームという周期を有するように見え得る。ノード１およびノード２のＣＳＩ−ＲＳ設定は、ＵＥにシグナリングされ得る。あるいは、ＵＥは、２つのノードを認識していなくてもよく、Ｋという周期を有するＣＳＩ−ＲＳ設定によって設定され得る。そうすると、ＵＥは、単一のノードから来ているかのように、２つのノードからのＣＳＩ−ＲＳを使うことができる。
【００６１】
図７に示されるように、ＵＥは、（ｉ）一部のサブフレーム（たとえば、サブフレームｔ2、ｔ4およびｔ6）においてノード１のみからのＣＳＩ−ＲＳを、（ｉｉ）一部の他のサブフレーム（たとえば、サブフレームｔ1、ｔ3、ｔ5およびｔ7）においてノード２のみからのＣＳＩ−ＲＳを受信することができる。一設計では、図７に示されるように、ノード２は、ノード１が自身のＣＳＩ−ＲＳを送信する一部のサブフレーム（たとえばサブフレームｔ6）において、自身のＣＳＩ−ＲＳを時々送信することができる。別の設計では、ノード１は、ノード２が自身のＣＳＩ−ＲＳを送信する一部のサブフレーム（たとえばサブフレームｔ3）において、自身のＣＳＩ−ＲＳを時々送信することができる（図７には示されない）。両方の設計において、ＵＥは、両方のノードが自身のＣＳＩ−ＲＳを送信するサブフレームにおいて、両方のノードからのＣＳＩ−ＲＳに基づいて、ノード１とノード２の両方のためのＣＳＩを決定することができる。ＵＥは、ノード１のみ（またはノード２のみ）が自身のＣＳＩ−ＲＳを送信するサブフレームにおいて、ノード１（またはノード２）からのＣＳＩ−ＲＳに基づいて、ノード１のみ（またはノード２のみ）のＣＳＩを決定することができる。
【００６２】
図８は、２つのノード１およびノード２に対して異なるＣＳＩ−ＲＳの周期を有する、上で説明されたＣＳＩ−ＲＳの組合せをサポートする、第３の設計を示す。この設計では、ノード１は、第１の周期（たとえば、４つのサブフレームという周期）で自身のＣＳＩ−ＲＳを送信することができる。ノード２は、第１の周期とは異なり得る、第２の周期（たとえば５つのサブフレームという周期）で、自身のＣＳＩ−ＲＳを送信することができる。第１および第２の周期は、相互に最重要であり得る。ノード１が自身のＣＳＩ−ＲＳを送信するサブフレームは、ノード２が自身のＣＳＩ−ＲＳを送信するサブフレームと、時々一致することがある。ノード１とノード２の両方が自身のＣＳＩ−ＲＳを送信するサブフレームの周期は、第１の周期および第２の周期に依存し得る。ノード１およびノード２のためのＣＳＩ−ＲＳ設定は、ＵＥにシグナリングされてもよく、シグナリングされなくてもよい。
【００６３】
図８に示されるように、ＵＥは、（ｉ）一部のサブフレーム（たとえば、サブフレームｔ2、ｔ4、ｔ6およびｔ8）においてノード１のみからのＣＳＩ−ＲＳを、（ｉｉ）一部の他のサブフレーム（たとえば、サブフレームｔ3、ｔ5、およびｔ7）においてノード２のみからのＣＳＩ−ＲＳを、（ｉｉｉ）さらに一部の他のサブフレーム（たとえば、サブフレームｔ1およびｔ9）において、ノード１とノード２の両方からのＣＳＩ−ＲＳを受信することができる。ＵＥは、ノード１とノード２の両方のノードが自身のＣＳＩ−ＲＳを送信するサブフレームにおいて、両方のノードからのＣＳＩ−ＲＳに基づいて、両方のノードのＣＳＩを決定することができる。ＵＥは、ノード１のみ（またはノード２のみ）が自身のＣＳＩ−ＲＳを送信するサブフレームにおいて、ノード１（またはノード２）からのＣＳＩ−ＲＳに基づいて、ノード１のみ（またはノード２のみ）のＣＳＩを決定することができる。
【００６４】
上で説明されたＣＳＩ−ＲＳの組合せをサポートする第４の設計では、ノード１およびノード２は、同一のサブフレームにおいて、異なるアンテナポートで自身のＣＳＩ−ＲＳを送信することができる。十分な数のアンテナポートが、ＣＳＩ−ＲＳのためにＵＥへ通知され得る。たとえば、ノード１は、ＣＳＩ−ＲＳおよび特定の８ポートのＣＳＩ−ＲＳパターンのために、８つのアンテナポートによってＣＳＩ−ＲＳ設定を通知することができる。ノード１は、４つのアンテナポート（たとえばアンテナポート０から３）から自身のＣＳＩ−ＲＳを送信することができ、ノード２は、４つの他のアンテナポート（たとえばアンテナポート４から７）から自身のＣＳＩ−ＲＳを送信することができる。ノード１からのＣＳＩ−ＲＳおよびノード２からのＣＳＩ−ＲＳは、異なるリソース要素上で送信されてよく、互いに直交していてよい。一設計では、ノード１は、ノード２が自身のＣＳＩ−ＲＳのために使用するアンテナポート上で、自身のＣＳＩ−ＲＳを時々送信することができる。別の設計では、ノード２は、ノード１が自身のＣＳＩ−ＲＳのために使用するアンテナポート上で、自身のＣＳＩ−ＲＳを時々送信することができる。さらに別の設計では、ノード１およびノード２は、すべてのアンテナポート上で、自身のＣＳＩ−ＲＳを時々送信することができる。すべての設計において、ＵＥは、ノード１が自身のＣＳＩ−ＲＳのために使うアンテナポートからのＣＳＩ−ＲＳに基づいて、ノード１のみのＣＳＩを決定することができる。ＵＥは、ノード２が自身のＣＳＩ−ＲＳのために使うアンテナポートからのＣＳＩ−ＲＳに基づいて、ノード２のみのＣＳＩを決定することができる。ＵＥは、両方のノードが自身のＣＳＩ−ＲＳのために使うアンテナポートからのＣＳＩ−ＲＳに基づいて、ノード１とノード２の両方のＣＳＩを決定することができる。たとえば、ＵＥは、プリコーディングが両方のノードのアンテナにわたって実行される、結合送信方式に対応するＣＳＩを報告することができる。一般に、ノード１とノード２の両方のＣＳＩは、（ｉ）ノード１のための１つのＣＳＩ報告およびノード２のための別のＣＳＩ報告、または、（ｉｉ）ノード１の少なくとも１つのアンテナポートおよびノード２の少なくとも１つのアンテナポートが１つのアンテナポートを形成するものとして仮想化されるＣＳＩ報告、または、（ｉｉｉ）結合送信のようなＣｏＭＰ方式に対応するＣＳＩ報告を指し得る。
【００６５】
複数のノードによるＣＳＩ−ＲＳ送信をサポートするための４つの例示的な設計が、上で説明されてきた。複数のノードによるＣＳＩ−ＲＳ送信は、他の方式でもサポートされ得る。
【００６６】
別の設計では、リレーのシナリオのための、ＣＳＩ−ＲＳの組合せ１および２のみがサポートされ得る。たとえば、ｅＮＢ１１０のみからのＣＳＩ−ＲＳおよびリレー１２０のみからのＣＳＩ−ＲＳがサポートされ得る。この場合、ＵＥ１３０は、２つのサポートされるＣＳＩ−ＲＳの組合せのために、ｅＮＢ１１０およびリレー１２０から別々に受信されたＣＳＩ−ＲＳに基づいて、ＣＳＩ−ＲＳの組合せ３のためのＣＳＩを導き出すことができる。ＵＥ１３０は、ｅＮＢ１１０のみから受信されたＣＳＩ−ＲＳに基づいて、直接のチャネル推定を導き出し、リレー１２０のみから受信されたＣＳＩ−ＲＳに基づいて、アクセスチャネル推定を導き出し、直接のチャネル推定およびアクセスチャネル推定に基づいて、複合チャネル推定を決定することができる。そして、ＵＥ１３０は、複合チャネル推定に基づいて、ｅＮＢ１１０とリレー１２０の両方のためのＣＳＩ（たとえばＲＩおよびＣＱＩ）を決定することができる。したがって、ＵＥ１３０は、ｅＮＢ１１０からのＣＳＩ−ＲＳとリレー１２０からのＣＳＩ−ＲＳとを、自身で重複させることができる。
【００６７】
一設計では、ＵＥは、各々のＣＳＩ−ＲＳの組合せに対して別々に、ＣＳＩを決定することができる。たとえば、ＵＥは、ノード１からのＣＳＩ−ＲＳのみに基づいてノード１のＣＳＩを決定し、ノード２からのＣＳＩ−ＲＳのみに基づいてノード２のＣＳＩを決定し、ノード１とノード２の両方からのＣＳＩ−ＲＳに基づいてノード１とノード２の両方のＣＳＩ−ＲＳを決定することができる。ＵＥは、各ノードのＣＳＩ−ＲＳ設定に基づいて、いつどこで（たとえば、どのサブフレームで、およびどのリソース要素で）ＣＳＩ−ＲＳが各ノードによって送信されるかを、決定することができる。ＵＥは、これらのノードのＣＳＩ−ＲＳ設定および／または他の情報に基づいて、いつどこでＣＳＩ−ＲＳが複数のノードによって同時に送信されるかを、決定することができる。ＵＥは、各サブフレームで受信されたＣＳＩ−ＲＳの測定を行うことができ、そのサブフレーム中でＣＳＩ−ＲＳを送信するノードを特定することができる。ＵＥは、異なるノードのＣＳＩ−ＲＳ設定に基づいて、ＣＳＩ−ＲＳ測定結果を組み合わせる（たとえばフィルタリングする）べきかどうかを判定することができる。たとえば、図８では、ＵＥは、サブフレームｔ1において、ノード１およびノード２のためのＣＳＩ−ＲＳ測定結果を得ることができ、これらのＣＳＩ−ＲＳ測定結果を、ノード１およびノード２のための前のＣＳＩ−ＲＳ測定結果と組み合わせることができる。ＵＥは、サブフレームｔ2において、ノード１のためのＣＳＩ−ＲＳ測定結果を得ることができ、これらのＣＳＩ−ＲＳ測定結果を、ノード１のための前のＣＳＩ−ＲＳ測定結果と組み合わせることができる。ＵＥは、サブフレームｔ3において、ノード２のためのＣＳＩ−ＲＳ測定結果を得ることができ、これらのＣＳＩ−ＲＳ測定結果を、ノード２のための前のＣＳＩ−ＲＳ測定結果と組み合わせることができる。ＵＥは、異なるセルからのＣＳＩ−ＲＳと同様の方式で、各々のＣＳＩ−ＲＳの組合せを処理することができる。
【００６８】
一設計では、ＵＥは、１つまたは複数のノードがＣＳＩ−ＲＳを送信していることを認識しないことがあり、ノード（たとえばｅＮＢ）は、どのノードまたはノードの組合せが各々のＣＳＩ報告によってカバーされるかを、判定することができる。上で論じられたように、ＵＥは、異なるチャネル測定結果を組み合わせて、結合チャネル測定結果を得ることができる。しかし、ノード（たとえばｅＮＢ）は通常、結合送信のためのＣＳＩを得るために、個々の送信のためのＵＥによって報告されるＣＳＩを結合しない。
【００６９】
一般に、ＵＥは、各々のＣＳＩ−ＲＳの組合せのＣＳＩを、そのＣＳＩ−ＲＳの組合せのＣＳＩ−ＲＳ測定結果に基づいて決定することができる。たとえば、ＵＥは、ＣＳＩ−ＲＳの組合せのＲＩを、その組合せのＣＳＩ−ＲＳ測定結果に基づいて決定することができる。ＵＥは、ＣＳＩ−ＲＳの組合せのＣＱＩおよびＰＭＩを、そのＣＳＩ−ＲＳの組合せのＲＩ測定結果およびＣＳＩ−ＲＳ測定結果に基づいて決定することができる。
【００７０】
一設計では、ノードは、ＣＳＩ−ＲＳを送信するためにノードが使用するリソース要素上で、データを送信するのを避けることができる。これは、パンクチャリングまたはレートマッチングによって実現し得る。パンクチャリングでは、ノードは、トランスポートブロックを処理（たとえば符号化および変調）し、データ送信に利用可能なリソース要素、さらにはＣＳＩ−ＲＳのために使われるリソース要素のための、データシンボルを生成することができる。次いで、ノードは、これらのリソース要素にデータシンボルをマッピングすることができ、ＣＳＩ−ＲＳのために使われるリソース要素に対してマッピングされたデータシンボルを、削除（またはパンクチャリング）することができる。レートマッチングでは、ノードは、トランスポートブロックを処理し、データ送信のために利用可能なリソース要素のみのためのデータシンボルを生成することができる。ノードは次いで、データ送信のために使われるリソース要素に、データシンボルをマッピングすることができる。ノード（たとえばｅＮＢ１１０）は、ノードが自身のＣＳＩ−ＲＳを送信するのに使用するリソース要素のために、パンクチャリングまたはレートマッチングを実行することができる。ノードはまた、他のノード（たとえばリレー１２０）が自身のＣＳＩ−ＲＳを送信するのに使用するリソース要素のために、パンクチャリングまたはレートマッチングを実行することもできる。したがって、ノードは、他のノードによってＣＳＩ−ＲＳのために使用されるリソース要素上での送信を消すことができる。
【００７１】
一般に、データは、使用されているＣＳＩ−ＲＳパターンについてのＵＥの想定に基づいて、ＵＥに送信され得る。ＵＥがＣＳＩ−ＲＳを想定する場合、データは、ＣＳＩ−ＲＳが実際に送信されるかどうかに関係なく、ＣＳＩ−ＲＳ付近にレートマッチングされ得る。たとえば、ノード（たとえばｅＮＢ１１０）は、ノードがＣＳＩ−ＲＳを送信しないが別のノード（たとえばリレー１２０）がＣＳＩ−ＲＳを送信するサブフレームにおいて、ＵＥのためにレートマッチングを実行することができる。逆に、ＵＥがＣＳＩ−ＲＳを想定しない場合、データは、すべてのリソース要素上で送信されてよく、または、ＣＳＩ−ＲＳのために使われるリソース要素上でパンクチャリングされてよい。
【００７２】
一般に、複数のノードがデータをＵＥに送信することができ、各ノードは任意の数のアンテナポートを有し得る。アンテナポートは、物理的なアンテナまたは仮想的なアンテナに相当し得る。所与のノード（たとえばｅＮＢ１１０）に対するアンテナポートの数は、別のノード（たとえばリレー１２０）に対するアンテナポートの数と一致してもしなくてもよい。アンテナポートの数のこの不一致は、いくつかの問題を引き起こし得る。たとえば、透過型リレーの場合、ｅＮＢ１１０からＵＥ１３０への送信に対応するＣＳＩ報告と、リレー１２０からＵＥ１３０への送信に対応するＣＳＩ報告との両方が必要であることがあり、ｅＮＢ１１０およびリレー１２０は、異なる数のアンテナポートを有する。しかし、ＵＥ１３０は、ある数のアンテナポートに対して、１つのＣＳＩ−ＲＳ設定しか有さないことがある。異なるノードに対するアンテナポートの数の不一致は、様々な方式で対処され得る。
【００７３】
一設計では、所与のノードＸ（たとえばリレー１２０）は、ノードＸにおける仮想的なアンテナの数が別のノードＹ（たとえばｅＮＢ１１０）における物理的なアンテナの数ＮYと一致するように、自身のＮX個の物理的なアンテナに基づいて、ＮVA個の仮想的なアンテナを形成することができる。ノードＸが、ノードＹよりも多くの物理的なアンテナを有する（すなわち、ＮX＞ＮY）場合、ノードＸは、いくつかの方式でＮVA個の仮想的なアンテナを形成することができる。たとえば、ＮX＝４かつＮY＝２の場合、ノードＸは、最初の２つの物理的なアンテナ上で巡回遅延ダイバーシティ（ＣＤＤ）を実行して、第１の仮想的なアンテナを形成することができ、最後の２つの物理的なアンテナにもＣＤＤを実行して、第２の仮想的なアンテナを形成することができる。あるいは、ノードＸは、ＮX×ＮYのプリコーディング行列を有するＮY個の仮想的なアンテナを形成することができ、このプリコーディング行列は、離散フーリエ変換（ＤＦＴ）行列、ウォルシュ−アダマール行列、または何らかの他の行列のサブセットであってよい。ノードＸの物理的なアンテナがノードＹよりも少ない（すなわちＮX＜ＮY）場合、ノードＸは、互いに直交していなくてもよいＮY個のプリコーディングベクトルによって、ＮY個の仮想的なアンテナを形成することができる。たとえば、ＮX＝２かつＮY＝４の場合、ノードＸは、４つのプリコーディングベクトル
【数２】
0005889979.tif 000004
【００７４】
によって、４つの仮想的なアンテナを形成することができる。
【００７５】
図２に示されるリレーのシナリオでは、リレー１２０は、Ｎrelay個の物理的なアンテナに基づいてＮeNB個の仮想的なアンテナを形成し、ｅＮＢ１１０におけるＮeNB個の物理的なアンテナと一致させることができる。あるいは、ｅＮＢ１１０は、ＮeNB個の物理的なアンテナに基づいてＮrelay個の仮想的なアンテナを形成し、リレー１２０におけるＮrelay個の物理的なアンテナと一致させることができる。
【００７６】
複数のノードが、データをＵＥに送信することができ、同じ数のアンテナポートを有し得る。所与のノードＸのためのアンテナポートの数は、上で説明された設計のいずれかに基づく、別のノードＹのためのアンテナポートの数と等しくてよい。ノードＸ（たとえばリレー１２０）は、自身のアンテナポートの各々を、ノードＹ（たとえばｅＮＢ１１０）のアンテナポートの対応する１つにマッピングすることができる。ノードＸのアンテナポートとノードＹのアンテナポートとの間には、１対１のマッピングがあり得る。一設計では、ノードＸは、ノードＹと同様の方式で、自身のアンテナポートからＵＥへデータとＣＳＩ−ＲＳとを送信することができる。たとえば、ノードＹが送信のためにプリコーディングを実行する場合、ノードＸは、ノードＹと同じ方式でプリコーディングを実行することもできる。ＵＥは、ノードＸからの送信とノードＹからの送信を区別できなくてもよい。
【００７７】
複数のノードが、データをＵＥに送信することができ、異なる数のアンテナポートを有し得る。一設計では、所与のノードＸのアンテナポートの数が、別のノードＹよりも少ない場合、ノードＸは、追加のアンテナポートのために、ＣＳＩ−ＲＳのためのリソース要素で送信するのを避けることができる。
【００７８】
ＵＥは、ＵＥへ送信する複数のノードからのＣＳＩ−ＲＳに基づいて、ＣＳＩを決定することができる。ＣＳＩは、ＲＩ、ＣＱＩ、および／または他の情報を含み得る。一設計では、ＵＥは、異なるサブフレームにおいて、かつ異なる周期で、ＲＩとＣＱＩとを別々に報告することができる。たとえば、ＵＥは、ＣＱＩよりも低い周期で（すなわちより低頻度に）ＲＩを報告することができる。ＵＥは、あるサブフレームにおいてはＲＩを報告することができ、他のサブフレームにおいてはＣＱＩ（報告されたＲＩを仮定して）を報告することができる。異なるＣＳＩ−ＲＳの組合せのためにＵＥによって決定されたＲＩおよびＣＱＩは、非常に異なり得る。
【００７９】
一設計では、ＵＥは、各々のＣＳＩ−ＲＳの組合せのＲＩとＣＱＩとをＵＥが報告できるようにするために、ＲＩおよびＣＱＩのための適切な報告の周期を設定され得る。たとえば、図７では、ＵＥは、Ｋ個以下のサブフレームという第１の周期でＲＩを報告することができ、第１の周期以下であり得る第２の周期でＣＱＩを報告することができる。これによって、ＵＥは、ノード１のみからのＣＳＩ−ＲＳに基づいてＲＩとＣＱＩとを報告すること、ノード２のみからのＣＳＩ−ＲＳに基づいてＲＩとＣＱＩとを報告することなどが可能になる。たとえば、Ｋは１０に等しくてよく、ノード１は、自身のＣＳＩ−ＲＳを２０ｍｓごとに送信することができ、ノード２は、自身のＣＳＩ−ＲＳを２０ｍｓごとに送信することができ、ＵＥは、ノード１とノード２のいずれかからのＣＳＩ−ＲＳを、１０ｍｓごとに観測することができる。ＵＥは、ＲＩを１０ｍｓごとに報告することができ、ＣＱＩを２ｍｓごとに（たとえば、異なるＣＱＩ報告間隔において異なるサブバンドで）報告することができる。ＵＥは、異なるサブフレームで送信される別個の報告、または同一の報告において、ＲＩとＣＱＩとを報告することができる。ノード１およびノード２に対するＣＳＩ−ＲＳの周期が非周期的（たとえば図８に示されるように）である場合、ＵＥは、ＲＩおよび／またはＣＱＩを非周期的に（たとえばＵＥに対して設定されたように）報告することができる。ＵＥは、要求されれば常に（たとえば、ＣＱＩ要求がサービングｅＮＢまたはセルからＵＥによって受信されれば常に）、ＲＩおよび／またはＣＱＩの報告を送信することもできる。
【００８０】
一般に、ノードは、任意の適切なランクに基づいて、データをＵＥに送信することができる。ＵＥは、ノードからのＣＳＩ−ＲＳに基づいてランクを決定することができ、ランクをノードに報告することができる。
【００８１】
別の態様では、異なるデータの送信が、性能を改善するために異なるランクで送られ得る。データの第１の送信は、ある特定のランクで送られてよく、データの後続の送信は、より高いランクまたはより低いランクで送られてよい。図２に示されるリレーのシナリオでは、ＵＥ１３０は、ｅＮＢ１１０のみからのデータ送信に対してはより低いランク（たとえばランク１）をサポートすることができ、ｅＮＢ１１０とリレー１２０の両方（またはリレー１２０のみ）からのデータ送信に対してはより高いランク（たとえばランク２）をサポートすることができる。これは、ｅＮＢ１１０とリレー１２０の両方からの組み合わされた信号の信号品質が、ｅＮＢ１１０のみからの信号の信号品質よりも良いことによるものであり得る。これはまた、リレーアンテナおよびｅＮＢアンテナが異なる信号を送信し、組み合わされて仮想的なアンテナを形成するのではなくアンテナアレイとして扱われることによるものでもあり得る。より低いランクは、リレー１２０が第１の送信に基づいてデータを正確に復号できることを保証するために、第１の送信のためにも使われ得る。より高いランクは、性能を改善するために、後続の送信のために使われ得る。
【００８２】
一設計では、ＵＥは、ＵＥへのデータの各送信のために使われるランクを知らされ得る。たとえば、ランクを搬送するダウンリンクグラントが、ＵＥへのデータの各送信とともに送られ得る。ＵＥは、その送信のために使われるランクに基づいて、各送信から受信されるシンボルを得ることができる。ＵＥは、すべての受信された送信のための受信されたシンボルを処理（たとえば、復調および復号）し、データを復元することができる。後続の送信に対してより高いランクを使うことで、ＵＥは、より高いデータレートを得られるようになり、かつ／または、より少数の送信でデータを復元できるようになり得る。
【００８３】
図９は、ＵＥによる通信のためのプロセス９００の設計を示す。ＵＥは、第１のサブフレームにおいて、第１のノードから第１の基準信号を受信することができる（ブロック９１２）。ＵＥは、第１のサブフレームおよび第２のサブフレームにおいて、第２のノードから第２の基準信号を受信することができる（ブロック９１４）。第２の基準信号は、第１のサブフレームでは第１の基準信号と一致し得るが、第２のサブフレームでは一致しないことがある。第１の基準信号および第２の基準信号は、第１のサブフレームにおいて、リソースの同一のセットまたはリソースの異なるセットで送信され得る。ＵＥはまた、第３のサブフレームにおいて、第１のノードから第１の基準信号を受信することができる。第１の基準信号は、第３のサブフレームでは第２の基準信号とは一致しないことがある。第１の基準信号および第２の基準信号は各々、ＣＳＩ−ＲＳまたは何らかの他の基準信号であってよい。
【００８４】
ＵＥは、第１のサブフレームおよび第２のサブフレームに対して別々にＣＳＩを決定するための指標を受信することができる（ブロック９１６）。ＵＥは、第１のノードのための第１のＣＳＩ−ＲＳ設定と、第２のノードのための第２のＣＳＩ−ＲＳ設定とに基づいて、この指標を受信することができる。ＵＥはまた、他の方式でこの指標を受信することもできる。ＵＥは、第１のサブフレームにおいてＵＥによって受信された第１の基準信号および第２の基準信号に基づいて、第１のサブフレームの第１のＣＳＩを決定することができる（ブロック９１８）。ＵＥは、第２のサブフレームにおいてＵＥによって受信された第２の基準信号に基づいて、第２のサブフレームの第２のＣＳＩを決定することができる（ブロック９２０）。各ＣＳＩは、ＲＩ、ＣＱＩ、ＰＭＩ、ＣＤＩ、またはこれらの組合せを備え得る。ＵＥは、第１のＣＳＩと第２のＣＳＩとを報告することができる（ブロック９２２）。ＵＥはその後、第１のノードのみによって、または第２のノードのみによって、または第１のノードと第２のノードの両方によって送られたデータ送信を、第１のＣＳＩおよび／または第２のＣＳＩに基づいて受信することができる（ブロック９２４）。ＵＥはまた、第３のサブフレームにおいてＵＥによって受信された第１の基準信号に基づいて、第３のサブフレームの第３のＣＳＩを決定することができる。ＵＥは、第３のＣＳＩを報告することができ、第３のＣＳＩにさらに基づいて、第１のノードおよび／または第２のノードによって送られるデータ送信を受信することができる。
【００８５】
ＵＥは、各フレームにおいてどのノードが基準信号を送信するかを、知っていることもあり知らないこともある。ＵＥは、第１のサブフレームおよび第２のサブフレームに対して別々にＣＳＩを測定し報告するように構成されてよく、そして、ＵＥがＣＳＩを別々に測定し報告するように構成されるサブフレームの各セットに対して、ＣＳＩを別々に決定することができる。第１のノードおよび／または第２のノードは、どのノードが各々の報告されるＣＳＩによってカバーされるかを判定することができる。一設計では、ＵＥは、サブフレームｎのために、またはサブフレームｎにおいてＣＳＩを報告することができ、サブフレームｎ−ｋよりも新しく受信された基準信号を使うことができ、ｎおよびｋは各々、任意の適切な値であり得る。この設計では、第１のノードおよび／または第２のノードは、ＣＳＩがいつＵＥによって報告されたかに基づいて、各々の報告されたＣＳＩを決定するためにＵＥによってどの基準信号が使われたかを、判定することができる。
【００８６】
一設計では、第１のノードはリレーに相当してよく、第２のノードは基地局に相当してよい。ブロック９２４において、ＵＥは、リレーのための第１のＣＳＩに基づきリレーのみによって送られるデータ送信、または基地局のための第２のＣＳＩに基づき基地局のみによって送られるデータ送信、または第１のＣＳＩと第２のＣＳＩの両方に基づきリレーと基地局と両方によって送られるデータ送信を、受信することができる。別の設計では、第１のノードおよび第２のノードは、ＵＥへのＣｏＭＰ送信をサポートする２つのセルに相当し得る。ブロック９２４において、ＵＥは、１つのセルのみによって、そのセルのＣＳＩに基づくプリコーディングで送られるデータ送信を受信することができ、または、２つのセルによって、その２つのセルの第１のＣＳＩおよび第２のＣＳＩに基づくプリコーディングで送られるデータ送信を受信することができる。
【００８７】
ブロック９１２およびブロック９１４の一設計では、たとえば図６および図８に示されるように、ＵＥは、第１の周期で第１のノードから第１の基準信号を受信することができ、第１の周期とは異なる第２の周期で第２のノードから第２の基準信号を受信することができる。ＵＥは、第１の周期と等しくてよい、または第１の周期および第２の周期と異なっていてよい第３の周期で、第１の基準信号と第２の基準信号の両方を受信することができる。図６に示される設計では、第１のサブフレームは、サブフレームｔ1、ｔ3、およびｔ5（ノード１とノード２の両方からのＣＳＩ−ＲＳ）に相当してよく、第２のサブフレームは、サブフレームｔ2、ｔ4、およびｔ6（ノード２のみからのＣＳＩ−ＲＳ）に相当してよく、第３のサブフレームは、サブフレームｔ7（ノード１のみからのＣＳＩ−ＲＳ）に相当してよい。図８に示される設計では、第１のサブフレームはサブフレームｔ1およびｔ9に相当してよく、第２のサブフレームはサブフレームｔ3、ｔ5、およびｔ7に相当してよく、第３のサブフレームはサブフレームｔ2、ｔ4、およびｔ6に相当してよい。一設計では、たとえば図６に示されるように、第１の周期は、第２の周期の整数倍（かつ第１の周期よりも頻繁ではない）であってよい。この設計では、いくつかの指定されたサブフレームにおいてＵＥが第１のノードのみから第１の基準信号を受信できるようにするために、第２の基準信号は、第２のノードによって第２の周期内にその指定されたサブフレーム（たとえば図６のサブフレームｔ7）では送信され得ない。別の設計では、たとえば図８に示されるように、第１の周期は、第２の周期の非整数倍であってよい。
【００８８】
ブロック９１２およびブロック９１４の別の設計では、たとえば図７に示されるように、ＵＥは、第３のサブフレームにおいて第１の周期で第１のノードから第１の基準信号を受信することができ、第２のサブフレームにおいて第１の周期で第２のノードから第２の基準信号を受信することができる。第２のサブフレームは、第３のサブフレームとインターレースされてよく、ＵＥは、第１の周期よりも２倍頻繁な第２の周期で、第１または第２の基準信号を受信することができる。図７に示される設計では、第１のサブフレームはサブフレームｔ6に相当してよく、第２のサブフレームはサブフレームｔ1、ｔ3、およびｔ5に相当してよく、第３のサブフレームはサブフレームｔ2およびｔ4に相当してよい。第１のサブフレームは、第１のサブフレームにおいてＵＥが第１のノードと第２のノードの両方から第１の基準信号と第２の基準信号とを受信できるようにするために、第３のサブフレームのサブセットに相当し得る。
【００８９】
一設計では、第１の基準信号および第２の基準信号は重複してよく、ＵＥは、第１のサブフレームにおいて、同一の時間周波数リソースで（たとえば同一のＣＳＩ−ＲＳパターンで）第１の基準信号と第２の基準信号とを受信することができる。別の設計では、第１の基準信号および第２の基準信号は重複しなくてよく、ＵＥは、第１のサブフレームにおいて、異なる時間周波数リソースで（たとえば異なるＣＳＩ−ＲＳパターンで）第１の基準信号と第２の基準信号とを受信することができる。さらに別の設計では、第１の基準信号および第２の基準信号は、部分的に重複してよい。ＵＥは、第１のサブフレームにおいて、第１の時間周波数リソースで第１の基準信号を受信し、第２の時間周波数リソースで第２の基準信号を受信し、第３の時間周波数リソースで第１の基準信号と第２の基準信号の両方を受信することができる。
【００９０】
一設計では、第１の基準信号は、アンテナポートのセットから第１のノードによって送信されてよく、第２の基準信号は、アンテナポートの同じセットから第２のノードによって送信されてよい。別の設計では、第１の基準信号は、アンテナポートの第１のセットから第１のノードによって送信されてよく、第２の基準信号は、アンテナポートの第１のセットとは異なるアンテナポートの第２のセットから第２のノードによって送信されてよい。
【００９１】
ブロック９１８の一設計では、ＵＥは、各ＣＳＩの報告スケジュールに基づいて、第１のＣＳＩ、第２のＣＳＩ、および／または第３のＣＳＩを報告することができる。代替的に、または追加で、ＵＥは、各ＣＳＩを、要求された時には常に報告することができる。一設計では、ＵＥは、異なるサブフレームにおいて送信される別々の報告において、ＲＩとＣＱＩとを報告することができる。別の設計では、ＵＥは、単一の報告においてＲＩとＣＱＩを一緒に報告することができる。
【００９２】
図１０は、第１のノードによる通信をサポートするためのプロセス１０００の設計を示す。第１のノードは、第１のサブフレームにおいて、第１の基準信号（たとえば第１のＣＳＩ−ＲＳ）を送信することができる（ブロック１０１２）。第２のノードは、第１のサブフレームおよび第２のサブフレームにおいて、第２の基準信号（たとえば第２のＣＳＩ−ＲＳ）を送信することができる。第１の基準信号は、第１のサブフレームでは第２の基準信号と一致し得るが、第２のサブフレームでは一致しないことがある。第１のノードは、ＵＥから第１のサブフレームの第１のＣＳＩを受信することができる（ブロック１０１４）。第１のＣＳＩは、ＵＥによって第１のサブフレームにおいて受信される第１の基準信号および第２の基準信号に基づいて、かつ、第１のサブフレームおよび第２のサブフレームに対して別々にＣＳＩを決定するためのＵＥに対する指標にさらに基づいて、ＵＥによって決定され得る。第１のノードは、第１のＣＳＩに基づいてデータをＵＥに送信することができる（ブロック１０１６）。
【００９３】
第１のノードはまた、第３のサブフレームにおいて第１の基準信号を送信することができ、第１の基準信号は、第３のサブフレームでは第２の基準信号と一致しないことがある。第１のノードは、ＵＥから第３のサブフレームの第２のＣＳＩを受信することができる。第２のＣＳＩは、ＵＥによって第３のサブフレームにおいて受信される第１の基準信号に基づいて、かつ、第３のサブフレームに対して別々にＣＳＩを決定するためのＵＥに対する指標にさらに基づいて、ＵＥによって決定され得る。
【００９４】
一設計では、たとえば図６および図８に示されるように、第１のノードは、第１の周期で第１の基準信号を送信することができ、第２のノードは、第１の周期とは異なる第２の周期で第２の基準信号を送信することができる。別の設計では、たとえば図７に示されるように、第１のノードは、第３のサブフレームにおいて第１の周期で第１の基準信号を送信することができ、第２のノードは、第２のサブフレームにおいて第１の周期で第２の基準信号を送信することができ、第２のサブフレームは第３のサブフレームとインターレースされる。この設計では、第１のサブフレームは、第２のノードが第２の基準信号を送信する余剰のサブフレームであり得る。
【００９５】
一設計では、第１のノードは、第１の基準信号を送信するのに使われるリソース要素でのデータの送信を回避するために、データに対してレートマッチングを実行することができる。一設計では、第１のノードは、第２の基準信号を送信するのに使われるリソース要素でのデータの送信を回避するために、データに対してパンクチャリングまたはレートマッチングを実行することができる。第１のノードは、基準信号を送信するために使われるリソース要素を消す（たとえば、そのリソース要素でデータを送信しない）ことができる。
【００９６】
一設計では、第１のノードはリレーに相当してよく、第２のノードは基地局に相当してよい。第１のノードは、基地局からのデータの第１の送信を受信し、第１の送信を復号して基地局により送信されたデータを復元し、リレーからＵＥへのデータの第２の送信を送ることができる。データの第２の送信は、リレーのみによって、またはリレーと基地局の両方によって、ＵＥへと送られ得る。一設計では、リレーは透過型リレーであってよく、制御情報は、基地局によってＵＥへ送信され得るが、リレーによってはＵＥへ送信され得ない。別の設計では、リレーは非透過型リレーであってよく、制御情報をＵＥに送信することができる。
【００９７】
別の設計では、第１のノードおよび第２のノードは、ＵＥへのＣｏＭＰ送信のための２つのセルに相当し得る。第１のノードは、第１のＣＳＩに基づいてデータの送信のためのプリコーディングを実行することができ、データの送信をＵＥへ送ることができる。
【００９８】
第１のノードは、第１のノードにおいて第１のアンテナポートからの信号（たとえば、第１の基準信号およびデータ送信のための）をＵＥに送信することができる。一設計では、第１のアンテナポートは、第１のノードにおける物理的なアンテナに相当し得る。別の設計では、第１のアンテナポートは、第１のノードにおける仮想的なアンテナに相当し得る。第１のノードは、第１のノードにおける物理的なアンテナに基づいて、仮想的なアンテナを形成することができる。たとえば、第１のノードは、巡回遅延ダイバーシティにより複数の物理的なアンテナを組み合わせることによって、仮想的なアンテナを形成することができる。仮想的なアンテナの数は、第１のノードにおける物理的なアンテナの数よりも少なくてよい。この場合、仮想的なアンテナは、第１のノードにおける仮想的なアンテナの数および物理的なアンテナの数によって決定される次元を有するプリコーディング行列に基づいて形成され得る。仮想的なアンテナの数はまた、第１のノードにおける物理的なアンテナの数よりも多くてもよい。この場合、仮想的なアンテナは、互いに直交していなくてもよいプリコーディングベクトルに基づいて形成されてよく、各々の仮想的なアンテナに対して１つのプリコーディングベクトルがある。
【００９９】
一設計では、第１のノードは、第１のノードの第１のアンテナポートを、第２のノードの第２のアンテナポートにマッピングすることができる。第１のアンテナポートは、第１のノードにおける仮想的なアンテナまたは物理的なアンテナに相当し得る。第２のアンテナポートも、第２のノードにおける仮想的なアンテナまたは物理的なアンテナに相当し得る。第１のノードにおけるアンテナポートの数は、第２のノードにおけるアンテナポートの数と一致しても一致しなくてもよい。一設計では、第１のノードは、第１のサブフレームにおいて、リソースの第１のセットを用いて第１のアンテナポートから第１の基準信号を送信することができる。第２のノードは、第１のサブフレームにおいて、リソースの第２のセットを用いて第２のアンテナポートから第２の基準信号を送信することができる。
【０１００】
図１１は、ＵＥによる通信のためのプロセス１１００の設計を示す。ＵＥは、第１のランクに基づいて第１のノードによってＵＥへと送られるデータの第１の送信を、受信することができる（ブロック１１１２）。データは、１つまたは複数のトランスポートブロックまたはパケットを備え得る。ＵＥは、第２のランクに基づいて第１のノードおよび／または第２のノードによってＵＥへと送られるデータの第２の送信を受信することができ、第２のランクは第１のランクとは異なる（たとえば第１のランクよりも高い）（ブロック１１１４）。たとえば、第１のランクはランク１であってよく、第２のランクはランク２であってよい。データの第１の送信および第２の送信は、ＨＡＲＱのためのものであってよい。データの第１の送信は、第１のノードのみによって送られ得る。データの第２の送信は、第２のノードのみによって、または、第１のノードと第２のノードの両方によって送られ得る。別の例では、第１のランクはランク２であってよく、第２のランクはランク１であってよい。データの第１の送信および第２の送信は、ＨＡＲＱのためのものであってよい。データの第１の送信は、第１のノードのみによって（たとえば第２のノードへ）送られてよく、データの第２の送信は、第２のノードによって（たとえばＵＥへ）送られてよい。
【０１０１】
一設計では、ＵＥは、第１のノードから第１の基準信号を受信することができ、第１の基準信号に基づいて第１のランクを決定することができる。一設計では、ＵＥは、第２のノードから第２の基準信号を受信することができ、第２の基準信号に基づいて第２のランクを決定することができる。別の設計では、ＵＥは、第１のノードおよび第２のノードから第１の基準信号と第２の基準信号とを同時に受信することができ、第１の基準信号および第２の基準信号に基づいて第２のランクを決定することができる。
【０１０２】
一設計では、第１のノードは基地局に相当してよく、第２のノードはリレーに相当してよい。第１のランクは、基地局とリレーとの間のバックホールチャネルに基づいて、または、基地局とＵＥとの間の直接のチャネルに基づいて決定され得る。第２のランクは、リレーとＵＥとの間のアクセスチャネルに基づいて、またはアクセスチャネルと直接のチャネルとを備える複合チャネルに基づいて決定され得る。別の設計では、第１のノードおよび第２のノードは、２つのセルまたは他のエンティティであってよい。
【０１０３】
図１２は、通信をサポートするためのプロセス１２００の設計を示す。第２のノードは、第１のランクに基づいて第１のノードによってＵＥへと送られるデータの第１の送信を、識別することができる（ブロック１２１２）。第２のノードは、第２のランクに基づいてＵＥへデータの第２の送信を送ることができ、第２のランクは第１のランクとは異なる（たとえば第１のランクよりも高い）（ブロック１２１４）。一設計では、第２のノードのみが、第２の送信をＵＥへ送ることができる。別の設計では、第２の送信は、第１のノードによってもＵＥへ送られてよい。一設計では、第２のノードは、データの第１の送信を受信し、第１の送信を復号してデータを復元し、復元されたデータに基づいてデータの第２の送信を生成することができる。
【０１０４】
図１３は、ＵＥ１３００およびノード１３０２の設計のブロック図を示し、ノード１３０２は、基地局、リレーなどであってよい。ＵＥ１３００内において、受信機１３１０は、ノード、たとえば、基地局、リレー、セルなどによって送信される信号を受信することができる。モジュール１３１２は、ノードから基準信号（たとえばＣＳＩ−ＲＳ）を受信することができ、基準信号に基づいて測定（たとえばチャネル利得のための）を行うことができる。モジュール１３１４は、測定結果に基づいて、関心のあるノードのＣＳＩ（たとえば、ＲＩ、ＣＱＩ、ＰＭＩおよび／またはＣＤＩ）を決定することができる。モジュール１３１６は、異なるノードのＣＳＩ−ＲＳ設定を決定することができ、各ノードからの基準信号が送信されるサブフレームを識別することができる。モジュール１３１８は、モジュール１３１６からの情報に基づいて、各ノードおよびノードの各々の組合せに対して、ＣＳＩを決定することができる。モジュール１３１８はまた、ＣＳＩの報告を生成することができ、１つまたは複数の指定されたノード（たとえばサービングノード）へ報告を送信することができる。送信機１３２０は、報告または他の情報を送信することができる。モジュール１３２２は、ＣＳＩに基づいて送られるデータの送信を受信することができ、受信された送信を処理してデータを復元することができる。ＵＥ１３００内の様々なモジュールは、上で説明されたように動作することができる。コントローラ／プロセッサ１３２４は、ＵＥ１３００内の様々なモジュールの動作を指示することができる。メモリ１３２６は、ＵＥ１３００のためのデータとプログラムコードとを記憶することができる。
【０１０５】
ノード１３０２内で、受信機１３５０は、ＵＥ１３００、他のＵＥ、および場合によっては他のノードから送信される信号を受信することができる。モジュール１３５２は、ＵＥ１３００から報告を受信し、報告からＣＳＩを抽出することができる。モジュール１３５４は、ＣＳＩに基づいて、ＵＥ１３００のためのデータの送信を生成することができる。モジュール１３５４は、ランク、変調および符号化方式（ＭＣＳ）、および／またはＣＳＩに基づくデータの送信のための他のパラメータを決定することができる。モジュール１３５４は、ＣＳＩに基づいて、データの送信のためのプリコーディングベクトルを決定することもできる。モジュール１３５４は、ＣＳＩから決定された様々なパラメータに基づいて、データの送信を生成することができる。モジュール１３５６は、ノード１３０２のＣＳＩ−ＲＳ設定を決定することができ、ＣＳＩ−ＲＳ設定をＵＥ１３００へシグナリング／搬送することができる。モジュール１３５８は、ノード１３０２のＣＳＩ−ＲＳ設定に基づいて、基準信号（たとえばＣＳＩ−ＲＳ）を生成することができる。送信機１３６０は、基準信号、データ、および／または他の情報を送信することができる。ノード１３０２内の様々なモジュールは、上で説明されたように動作することができる。スケジューラ１３６２は、データ送信のためにＵＥをスケジューリングすることができる。コントローラ／プロセッサ１３６４は、ノード１３０２内の様々なモジュールの動作を指示することができる。メモリ１３６６は、ノード１３０２のためのデータとプログラムコードとを記憶することができる。
【０１０６】
図１４は、ＵＥ１４００およびノード１４０２の設計のブロック図を示し、ノード１４０２は、基地局、リレーなどであってよい。ノード１４０２は、Ｔ個のアンテナ１４３４ａ〜１４３４ｔを備えていてよく、ＵＥ１４００は、Ｒ個のアンテナ１４５２ａ〜１４５２ｒを備えていてよく、一般にＴ≧１かつＲ≧１である。
【０１０７】
ノード１４０２において、送信プロセッサ１４２０は、データソース１４１２から１つまたは複数のＵＥのためのデータを受信し、そのＵＥについて選択された１つまたは複数の変調および符号化方式に基づいて各ＵＥのためのデータを処理（たとえば、符号化および変調）し、すべてのＵＥのためのデータシンボルを与えることができる。送信プロセッサ１４２０はまた、（たとえば、構成メッセージ、グラントなどのための）制御情報を処理し、制御シンボルを与えることができる。プロセッサ１４２０はまた、基準信号（たとえばＣＲＳおよびＣＳＩ−ＲＳ）のための基準シンボルを生成することができる。送信（ＴＸ）ＭＩＭＯプロセッサ１４３０は、（適用可能な場合は）データシンボル、制御シンボル、および／または基準シンボルをプリコードし、Ｔ個の出力シンボルストリームをＴ個の変調器（ＭＯＤ）１４３２ａ〜１４３２ｔに与えることができる。各変調器１４３２は、（たとえば、ＯＦＤＭなどのために）その出力シンボルストリームを処理して、出力サンプルストリームを得ることができる。各変調器１４３２はさらに、その出力サンプルストリームを調整（たとえば、アナログに変換、増幅、フィルタリング、およびアップコンバート）して、被変調信号を得ることができる。変調器１４３２ａ〜１４３２ｔからのＴ個の被変調信号は、それぞれＴ個のアンテナ１４３４ａ〜１４３４ｔを介して送信され得る。
【０１０８】
ＵＥ１４００において、アンテナ１４５２ａ〜１４５２ｒは、ノード１４０２および／または他のノードから被変調信号を受信し、受信信号をそれぞれ復調器（ＤＥＭＯＤ）１４５４ａ〜１４５４ｒに提供することができる。各復調器１４５４は、その受信信号を調整（たとえば、フィルタリング、増幅、ダウンコンバート、およびデジタル化）して、入力サンプルを得ることができる。各復調器１４５４はさらに、（たとえば、ＯＦＤＭなどのための）入力サンプルを処理して、受信シンボルを得ることができる。ＭＩＭＯ検出器１４５６は、すべてのＲ個の復調器１４５４ａ〜１４５４ｒから受信シンボルを取得し、ＭＩＭＯ検出を実行し、検出シンボルを与えることができる。受信プロセッサ１４５８は、検出されたシンボルを処理（たとえば、復調および復号）し、ＵＥ１４００のための復号されたデータをデータシンク１４６０に供給し、復号された制御情報をコントローラ／プロセッサ１４８０に与えることができる。チャネルプロセッサ１４８４は、関心のある各ノードのための基準信号に基づいて、測定を実行することができる。プロセッサ１４８０および／または１４８４は、測定結果に基づいて、各ノードのＣＳＩと、関心のあるノードの各々の組合せとを決定することができる。
【０１０９】
ＵＥ１４００において、送信プロセッサ１４６４は、データソース１４６２からのデータと、コントローラ／プロセッサ１４８０からの制御情報（たとえばＣＳＩ）とを、受信して処理することができる。プロセッサ１４６４はまた、１つまたは複数の基準信号のための基準シンボルを生成することができる。送信プロセッサ１４６４からのシンボルは、可能な場合にはＴＸ  ＭＩＭＯプロセッサ１４６６によってプリコードされ、さらに（たとえば、ＳＣ−ＦＤＭ、ＯＦＤＭなどのために）変調器１４５４ａ〜１４５４ｒによって処理され、送信され得る。ノード１４０２において、ＵＥ１４００および他のＵＥからの被変調信号は、アンテナ１４３４によって受信され、復調器１４３２によって処理され、可能な場合はＭＩＭＯ検出器１４３６によって検出され、さらに、ＵＥ１４００および他のＵＥによって送られた、復号されたデータと制御情報とを取得するために、受信プロセッサ１４３８によって処理され得る。プロセッサ１４３８は、復号されたデータをデータシンク１４３９に与え、復号された制御情報をコントローラ／プロセッサ１４４０に与えることができる。
【０１１０】
コントローラ／プロセッサ１４４０および１４８０は、それぞれ、ノード１４０２およびＵＥ１４００における動作を指示することができる。プロセッサ１４８０、ならびに／またはＵＥ１４００における他のプロセッサおよびモジュールは、図９のプロセス９００、図１１のプロセス１１００、および／または本明細書で説明される技法のための他のプロセスを、実行または指示することができる。プロセッサ１４４０、ならびに／またはノード１４０２における他のプロセッサおよびモジュールは、図１０のプロセス１０００、図１２のプロセス１２００、および／または本明細書で説明される技法のための他のプロセスを、実行または指示することができる。メモリ１４４２および１４８２は、それぞれ、ノード１４０２およびＵＥ１４００のためのデータとプログラムコードとを記憶することができる。スケジューラ１４４４は、データ送信のためにＵＥをスケジューリングすることができる。
【０１１１】
一構成では、ワイヤレス通信のための装置１３００または１４００は、ＵＥによって第１のサブフレームにおいて第１のノードから第１の基準信号を受信するための手段と、ＵＥによって第１のサブフレームおよび第２のサブフレームにおいて第２のノードから第２の基準信号を受信するための手段であって、第２の基準信号が、第１の基準信号と第１のサブフレームでは一致するが第２のサブフレームでは一致しない、手段と、第１のサブフレームおよび第２のサブフレームに対して別々にＣＳＩを決定するための指標を受信するための手段と、ＵＥによって第１のサブフレームにおいて受信された第１の基準信号および第２の基準信号に基づいて、ＵＥによって第１のサブフレームの第１のＣＳＩを決定するための手段と、ＵＥによって第２のサブフレームにおいて受信された第２の基準信号に基づいて、ＵＥによって第２のサブフレームの第２のＣＳＩを決定するための手段とを含み得る。
【０１１２】
別の構成では、ワイヤレス通信のための装置１３０２または１４０２は、第１のノードによって第１のサブフレームにおいて第１の基準信号を送信するための手段であって、第２の基準信号が、第１のサブフレームおよび第２のサブフレームにおいて第２のノードによって送信され、第１の基準信号が、第２の基準信号と第１のサブフレームでは一致するが第２のサブフレームでは一致しない、手段と、ＵＥから第１のサブフレームの第１のＣＳＩを受信するための手段であって、第１のＣＳＩが、ＵＥによって第１のサブフレームにおいて受信される第１の基準信号および第２の基準信号に基づいて、かつさらに、第１のサブフレームおよび第２のサブフレームに対して別々にＣＳＩを決定するためのＵＥへの指標にさらに基づいて、ＵＥによって決定される、手段とを含み得る。
【０１１３】
さらに別の構成では、ワイヤレス通信のための装置１３００または１４００は、第１のランクに基づき第１のノードによりＵＥへと送られるデータの第１の送信を受信するための手段と、第２のランクに基づき第１のノードおよび／または第２のノードによりＵＥへと送られるデータの第２の送信を受信するための手段とを含んでよく、第２のランクは第１のランクと異なる。
【０１１４】
さらに別の構成では、ワイヤレス通信のための装置１３０２または１４０２は、第１のランクに基づき第１のノードによりＵＥへと送られるデータの第１の送信を識別するための手段と、第２のランクに基づき第１のノードおよび／または第２のノードからＵＥへとデータの第２の送信を送るための手段とを含んでよく、第２のランクは第１のランクと異なる。
【０１１５】
情報および信号は、多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１１６】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は理解されよう。ハードウェアとソフトウェアのこの互換性を明確に示すために、様々な例示的な構成要素、ブロック、モジュール、回路、およびステップは、上記では概してそれらの機能に関して説明されてきた。そのような機能をハードウェアとして実装するか、ソフトウェアとして実装するかは、具体的な適用例および全体的なシステムに課された設計制約に依存する。当業者は、説明した機能を具体的な適用例ごとに様々な方法で実装し得るが、そのような実装の決定は、本開示の範囲からの逸脱を生じるものと解釈すべきではない。
【０１１７】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または、本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１１８】
本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサと一体であってよい。プロセッサおよび記憶媒体は、ＡＳＩＣ中に常駐し得る。ＡＳＩＣは、ユーザ端末中に常駐し得る。代替として、プロセッサおよび記憶媒体は、ユーザ端末中に個別構成要素として常駐し得る。
【０１１９】
１つまたは複数の例示的な設計では、説明した機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送または記憶するために使用され、汎用もしくは専用コンピュータ、または汎用もしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザで光学的に再生する。上記の組合せも、コンピュータ可読媒体の範囲内に含めるべきである。
【０１２０】
本開示の以上の説明は、いかなる当業者でも本開示を作成または使用できるように与えられたものである。本開示への様々な修正は当業者には容易に明らかであり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願出願当初の特許請求の範囲を付記する。
[Ｃ１]  ユーザ装置（ＵＥ）によって、第１のサブフレームにおいて第１のノードから第１の基準信号を受信することと、
前記ＵＥによって、前記第１のサブフレームおよび第２のサブフレームにおいて第２のノードから第２の基準信号を受信することであって、前記第２の基準信号が、前記第１の基準信号と前記第１のサブフレームでは一致するが前記第２のサブフレームでは一致しない、受信することと、
前記第１のサブフレームおよび前記第２のサブフレームに対して別々にチャネル状態情報（ＣＳＩ）を決定するための指標を受信することと、
前記第１のサブフレームにおいて前記ＵＥによって受信された前記第１の基準信号および前記第２の基準信号に基づいて、前記ＵＥによって前記第１のサブフレームの第１のＣＳＩを決定することと、
前記第２のサブフレームにおいて前記ＵＥによって受信された前記第２の基準信号に基づいて、前記ＵＥによって前記第２のサブフレームの第２のＣＳＩを決定することとを備える、ワイヤレス通信のための方法。
[Ｃ２]  前記第１のノードがリレーに相当し、前記第２のノードが基地局に相当する、Ｃ１に記載の方法。
[Ｃ３]  前記第１のノードおよび前記第２のノードが、前記ＵＥへの協調マルチポイント（ＣｏＭＰ）送信をサポートする２つのセルに相当する、Ｃ１に記載の方法。
[Ｃ４]  前記第１の基準信号を前記受信することが、第１の周期で前記第１のノードから前記第１の基準信号を受信することを備え、前記第２の基準信号を前記受信することが、前記第１の周期とは異なる第２の周期で前記第２のノードから前記第２の基準信号を受信することを備える、Ｃ１に記載の方法。
[Ｃ５]  前記第１の基準信号と前記第２の基準信号が両方、第３の周期で受信される、Ｃ４に記載の方法。
[Ｃ６]  前記第１の基準信号を前記受信することが、第３のフレームにおいて第１の周期で前記第１のノードから前記第１の基準信号を受信することを備え、前記第２の基準信号を前記受信することが、前記第３のサブフレームとインターレースされる前記第２のサブフレームにおいて前記第１の周期で前記第２のノードから前記第２の基準信号を受信することを備える、Ｃ１に記載の方法。
[Ｃ７]  前記第１のサブフレームが、前記第１のサブフレームにおいて前記ＵＥが前記第１のノードと前記第２のノードの両方から前記第１の基準信号と前記第２の基準信号とを受信できるようにするために、前記第３のサブフレームのサブセットに相当する、Ｃ６に記載の方法。
[Ｃ８]  前記第１の基準信号および前記第２の基準信号が、前記第１のサブフレームにおいて同一の時間周波数リソースで受信される、Ｃ１に記載の方法。
[Ｃ９]  前記第１の基準信号および前記第２の基準信号が、前記第１のサブフレームにおいて異なる時間周波数リソースで受信される、Ｃ１に記載の方法。
[Ｃ１０]  前記第１の基準信号が、第１の時間周波数リソースで受信され、前記第２の基準信号が、第２の時間周波数リソースで受信され、前記第１の基準信号と前記第２の基準信号の両方が、前記第１のサブフレームにおいて第３の時間周波数リソースで受信される、Ｃ１に記載の方法。
[Ｃ１１]  前記第１の基準信号を前記受信することが、アンテナポートの第１のセットから前記第１のノードによって送信される前記第１の基準信号を受信することを備え、前記第２の基準信号を前記受信することが、アンテナポートの前記第１のセットとは異なるアンテナポートの第２のセットから前記第２のノードによって送信される前記第２の基準信号を受信することを備える、Ｃ１に記載の方法。
[Ｃ１２]  第３のサブフレームにおいて、前記第１のノードから前記第１の基準信号を受信することであって、前記第１の基準信号が、前記第３のサブフレーム中の前記第２の基準信号と一致しない、受信することと、
前記第３のサブフレームにおいて前記ＵＥによって受信された前記第１の基準信号に基づいて、前記ＵＥによって第３のサブフレームの第３のＣＳＩを決定することとをさらに備える、Ｃ１に記載の方法。
[Ｃ１３]  前記第１のＣＳＩまたは前記第２のＣＳＩの少なくとも１つが、ランクインジケータ（ＲＩ）、チャネル品質インジケータ（ＣＱＩ）、プリコーディング行列インジケータ（ＰＭＩ）、チャネル方向インジケータ（ＣＤＩ）、またはこれらの組合せを備える、Ｃ１に記載の方法。
[Ｃ１４]  前記ＵＥによって前記第１のＣＳＩと前記第２のＣＳＩとを報告することと、
前記第１のノードのみによって、または前記第２のノードのみによって、または前記第１のノードと前記第２のノードの両方によって送られたデータ送信を、前記第１のＣＳＩ、または前記第２のＣＳＩ、または両方に基づいて受信することとをさらに備える、Ｃ１に記載の方法。
[Ｃ１５]  ユーザ装置（ＵＥ）によって第１のサブフレームにおいて第１のノードから第１の基準信号を受信し、前記ＵＥによって前記第１のサブフレームおよび第２のサブフレームにおいて第２のノードから、前記第１の基準信号と前記第１のサブフレームでは一致するが前記第２のサブフレームでは一致しない第２の基準信号を受信し、前記第１のサブフレームおよび前記第２のサブフレームに対して別々にチャネル状態情報（ＣＳＩ）を決定するための指標を受信し、前記第１のサブフレームにおいて受信された前記第１の基準信号および前記第２の基準信号に基づいて前記第１のサブフレームの第１のＣＳＩを決定し、前記第２のサブフレームにおいて受信された前記第２の基準信号に基づいて前記第２のサブフレームの第２のＣＳＩを決定するように構成される、少なくとも１つのプロセッサを備える、ワイヤレス通信のための装置。
[Ｃ１６]  前記少なくとも１つのプロセッサが、第１の周期で前記第１のノードから前記第１の基準信号を受信し、前記第１の周期とは異なる第２の周期で前記第２のノードから前記第２の基準信号を受信するように構成される、Ｃ１５に記載の装置。
[Ｃ１７]  前記少なくとも１つのプロセッサが、第３のフレームにおいて第１の周期で前記第１のノードから前記第１の基準信号を受信し、前記第３のサブフレームとインターレースされる前記第２のサブフレームにおいて前記第１の周期で前記第２のノードから前記第２の基準信号を受信するように構成される、Ｃ１５に記載の装置。
[Ｃ１８]  前記少なくとも１つのプロセッサが、アンテナポートの第１のセットから前記第１のノードによって送信される前記第１の基準信号を受信し、アンテナポートの前記第１のセットとは異なるアンテナポートの第２のセットから前記第２のノードによって送信される前記第２の基準信号を受信するように構成される、Ｃ１５に記載の装置。
[Ｃ１９]  前記少なくとも１つのプロセッサが、前記第３のサブフレームにおいて前記第２の基準信号と一致しない前記第１の基準信号を前記第１のノードから前記第３のサブフレームにおいて受信し、前記第３のサブフレームにおいて受信された前記第１の基準信号に基づいて前記第３のサブフレームの第３のＣＳＩを決定するように構成される、Ｃ１５に記載の装置。
[Ｃ２０]  ユーザ装置（ＵＥ）によって、第１のサブフレームにおいて第１のノードから第１の基準信号を受信するための手段と、
前記ＵＥによって前記第１のサブフレームおよび第２のサブフレームにおいて第２のノードから、前記第１の基準信号と前記第１のサブフレームでは一致するが前記第２のサブフレームでは一致しない第２の基準信号を受信するための手段と、
前記第１のサブフレームおよび前記第２のサブフレームに対して別々にチャネル状態情報（ＣＳＩ）を決定するための指標を受信するための手段と、
前記第１のサブフレームにおいて受信された前記第１の基準信号および前記第２の基準信号に基づいて前記第１のサブフレームの第１のＣＳＩを決定するための手段と、
前記第２のサブフレームにおいて受信された前記第２の基準信号に基づいて前記第２のサブフレームの第２のＣＳＩを決定するための手段とを備える、ワイヤレス通信のための装置。
[Ｃ２１]  前記第１の基準信号を受信するための前記手段が、第１の周期で前記第１のノードから前記第１の基準信号を受信するための手段を備え、前記第２の基準信号を受信するための前記手段が、前記第１の周期とは異なる第２の周期で前記第２のノードから前記第２の基準信号を受信するための手段を備える、Ｃ２０に記載の装置。
[Ｃ２２]  前記第１の基準信号を受信するための前記手段が、第３のサブフレームにおいて第１の周期で前記第１のノードから前記第１の基準信号を受信するための手段を備え、前記第２の基準信号を受信するための前記手段が、前記第３のサブフレームとインターレースされる前記第２のサブフレームにおいて前記第１の周期で前記第２のノードから前記第２の基準信号を受信するための手段を備える、Ｃ２０に記載の装置。
[Ｃ２３]  前記第１の基準信号を受信するための前記手段が、アンテナポートの第１のセットから前記第１のノードによって送信される前記第１の基準信号を受信するための手段を備え、前記第２の基準信号を受信するための前記手段が、アンテナポートの前記第１のセットとは異なるアンテナポートの第２のセットから前記第２のノードによって送信される前記第２の基準信号を受信するための手段を備える、Ｃ２０に記載の装置。
[Ｃ２４]  第３のサブフレームにおいて、前記第１のノードから前記第１の基準信号を受信するための手段であって、前記第１の基準信号が、前記第３のサブフレームにおいて前記第２の基準信号と一致しない、手段と、
前記第３のサブフレームにおいて受信された前記第１の基準信号に基づいて、前記第３のサブフレームの第３のＣＳＩを決定するための手段とをさらに備える、Ｃ２０に記載の装置。
[Ｃ２５]  少なくとも１つのプロセッサに、ユーザ装置（ＵＥ）によって第１のサブフレームにおいて第１のノードから第１の基準信号を受信させるためのコードと、
前記少なくとも１つのプロセッサに、前記ＵＥによって前記第１のサブフレームおよび第２のサブフレームにおいて第２のノードから、前記第１の基準信号と前記第１のサブフレームでは一致するが前記第２のサブフレームでは一致しない第２の基準信号を受信させるためのコードと、
前記少なくとも１つのプロセッサに、前記第１のサブフレームおよび前記第２のサブフレームに対して別々にチャネル状態情報（ＣＳＩ）を決定するための指標を受信させるためのコードと、
前記少なくとも１つのプロセッサに、前記第１のサブフレームにおいて受信された前記第１の基準信号および前記第２の基準信号に基づいて前記第１のサブフレームの第１のＣＳＩを決定させるためのコードと、
前記少なくとも１つのプロセッサに、前記第２のサブフレームにおいて受信された前記第２の基準信号に基づいて前記第２のサブフレームの第２のＣＳＩを決定させるためのコードとを備える、非一時的コンピュータ可読媒体を備えるコンピュータプログラム製品。
[Ｃ２６]  第１のノードによって第１のサブフレームにおいて第１の基準信号を送信することであって、第２の基準信号が前記第１のサブフレームおよび第２のサブフレームにおいて第２のノードによって送信され、前記第１の基準信号が、前記第２の基準信号と前記第１のサブフレームでは一致するが前記第２のサブフレームでは一致しない、送信することと、
ユーザ装置（ＵＥ）から前記第１のサブフレームの第１のチャネル状態情報（ＣＳＩ）を受信することであって、前記第１のＣＳＩが、前記ＵＥによって前記第１のサブフレームにおいて受信される前記第１の基準信号および前記第２の基準信号に基づいて、かつ、前記第１のサブフレームおよび前記第２のサブフレームに対して別々にＣＳＩを決定するための前記ＵＥへの指標にさらに基づいて、前記ＵＥによって決定される、受信することとを備える、ワイヤレス通信のための方法。
[Ｃ２７]  第３のサブフレームにおいて、前記第１のノードによって前記第１の基準信号を送信することであって、前記第１の基準信号が、前記第３のサブフレームにおいて前記第２の基準信号と一致しない、送信することと、
前記ＵＥから前記第３のサブフレームの第２のＣＳＩを受信することであって、前記第２のＣＳＩが、前記ＵＥによって前記第３のサブフレームにおいて受信される前記第１の基準信号に基づいて、かつ、前記第３のサブフレームに対して別々にＣＳＩを決定するための前記ＵＥへの指標にさらに基づいて、前記ＵＥによって決定される、受信することとをさらに備える、Ｃ２６に記載の方法。
[Ｃ２８]  前記第１のＣＳＩに基づいて前記第１のノードから前記ＵＥへデータを送信することをさらに備える、Ｃ２６に記載の方法。
[Ｃ２９]  前記第１の基準信号が、第１の周期で前記第１のノードによって送信され、前記第２の基準信号が、前記第１の周期とは異なる第２の周期で前記第２のノードによって送信される、Ｃ２６に記載の方法。
[Ｃ３０]  前記第１の基準信号が、第３のフレームにおいて第１の周期で前記第１のノードによって送信され、前記第２の基準信号が、前記第３のサブフレームとインターレースされる前記第２のサブフレームにおいて前記第１の周期で前記第２のノードによって送信される、Ｃ２６に記載の方法。
[Ｃ３１]  前記第１のノードがリレーに相当し、前記第２のノードが基地局に相当する、Ｃ２６に記載の方法。
[Ｃ３２]  前記リレーにおいて前記基地局からデータの第１の送信を受信することと、
前記第１の送信を復号して、前記基地局によって送信された前記データを復元することと、
前記リレーから前記ＵＥへ前記データの第２の送信を送ることとをさらに備える、Ｃ３１に記載の方法。
[Ｃ３３]  前記第１のノードおよび前記第２のノードが、前記ＵＥへの協調マルチポイント（ＣｏＭＰ）送信のための２つのセルに相当する、Ｃ２６に記載の方法。
[Ｃ３４]  前記ＣＳＩに基づいて、データの送信のためのプリコーディングを実行することと、
前記第１のノードから前記ＵＥへデータの前記送信を送ることとをさらに備える、Ｃ３３に記載の方法。
[Ｃ３５]  前記第１のノードの第１のアンテナポートを、前記第２のノードの第２のアンテナポートにマッピングすることと、
前記第１のノードの前記第１のアンテナポートから前記ＵＥに前記第１の基準信号を送信することとをさらに備える、Ｃ２６に記載の方法。
[Ｃ３６]  前記第１のノードによって、前記第１のサブフレーム中のリソースの第１のセットを用いて第１のアンテナポートから前記第１の基準信号を送信することをさらに備え、前記第２の基準信号が、前記第２のノードによって、前記第１のサブフレーム中のリソースの第２のセットを用いて第２のアンテナポートから送信される、Ｃ２６に記載の方法。
[Ｃ３７]  前記第１のノードにおいて、複数の物理的なアンテナに基づいて複数の仮想的なアンテナを形成することをさらに備え、前記第１のノードの前記第１のアンテナポートが前記複数の仮想的なアンテナに相当する、Ｃ３５に記載の方法。
[Ｃ３８]  第１のノードによって第１のサブフレームにおいて第１の基準信号を送信し、ユーザ装置（ＵＥ）から前記第１のサブフレームの第１のチャネル状態情報（ＣＳＩ）を受信するように構成される少なくとも１つのプロセッサを備え、第２の基準信号が、前記第１のサブフレームおよび第２のサブフレームにおいて第２のノードによって送信され、前記第１の基準信号が、前記第２の基準信号と前記第１のサブフレームでは一致するが前記第２のサブフレームでは一致せず、前記第１のＣＳＩが、前記ＵＥによって前記第１のサブフレームにおいて受信される前記第１の基準信号および前記第２の基準信号に基づいて、かつ、前記第１のサブフレームおよび前記第２のサブフレームに対して別々にＣＳＩを決定するための前記ＵＥへの指標にさらに基づいて、前記ＵＥによって決定される、ワイヤレス通信のための装置。
[Ｃ３９]  前記少なくとも１つのプロセッサが、前記第１のノードによって第３のサブフレームにおいて前記第１の基準信号を送信し、前記ＵＥから前記第３のサブフレームの第２のＣＳＩを受信するように構成され、前記第１の基準信号が、前記第３のサブフレームにおいて前記第２の基準信号と一致せず、前記第２のＣＳＩが、前記ＵＥによって前記第３のサブフレームにおいて受信される前記第１の基準信号に基づいて、かつ、前記第３のサブフレームに対して別々にＣＳＩを決定するための前記ＵＥへの指標にさらに基づいて、前記ＵＥによって決定される、Ｃ３８に記載の装置。
[Ｃ４０]  前記第１のノードがリレーに相当し、前記第２のノードが基地局に相当し、前記少なくとも１つのプロセッサが、前記リレーにおいて前記基地局からのデータの第１の送信を受信し、前記第１の送信を復号して前記基地局によって送信された前記データを復元し、前記リレーから前記ＵＥへ前記データの第２の送信を送るように構成される、Ｃ３８に記載の装置。
[Ｃ４１]  前記第１のノードおよび前記第２のノードが、前記ＵＥへの協調マルチポイント（ＣｏＭＰ）送信のための２つのセルに相当し、前記少なくとも１つのプロセッサが、前記ＣＳＩに基づいてデータの送信のためのプリコーディングを実行し、前記第１のノードから前記ＵＥへデータの前記送信を送るように構成される、Ｃ３８に記載の装置。
[Ｃ４２]  第１のランクに基づいて第１のノードによってユーザ装置（ＵＥ）へと送られるデータの第１の送信を受信することと、
前記第１のランクと異なる第２のランクに基づいて、前記第１のノード、第２のノード、または前記第１のノードと前記第２のノードの両方によって前記ＵＥへと送られる前記データの第２の送信を受信することとを備える、ワイヤレス通信のための方法。
[Ｃ４３]  前記第１のノードから第１の基準信号を受信することと、
前記第１の基準信号に基づいて前記第１のランクを決定することと、
前記第２のノードから第２の基準信号を受信することと、
前記第２の基準信号に基づいて前記第２のランクを決定することとをさらに備える、Ｃ４２に記載の方法。
[Ｃ４４]  前記第１のノードからの第１の基準信号と、前記第２のノードからの第２の基準信号とを同時に受信することと、
前記第１の基準信号および第２の基準信号に基づいて、前記第２のランクを決定することとをさらに備える、Ｃ４２に記載の方法。
[Ｃ４５]  前記第１のノードが基地局に相当し、前記第２のノードがリレーに相当する、Ｃ４２に記載の方法。
[Ｃ４６]  前記第１のランクが、前記基地局と前記リレーとの間のバックホールチャネルに基づいて、または、前記基地局と前記ＵＥとの間の直接のチャネルに基づいて決定される、Ｃ４５に記載の方法。
[Ｃ４７]  前記第２のランクが、前記リレーと前記ＵＥとの間のアクセスチャネルに基づいて、または前記アクセスチャネルと前記直接のチャネルとを備える複合チャネルに基づいて決定される、Ｃ４６に記載の方法。
[Ｃ４８]  第１のランクに基づいて第１のノードによってユーザ装置（ＵＥ）へと送られるデータの第１の送信を受信し、前記第１のランクとは異なる第２のランクに基づいて、前記第１のノード、または第２のノード、または前記第１のノードと前記第２のノードの両方によって前記ＵＥへと送られるデータの第２の送信を受信するように構成される、少なくとも１つのプロセッサを備える、ワイヤレス通信のための装置。
[Ｃ４９]  前記少なくとも１つのプロセッサが、前記第１のノードから第１の基準信号を受信し、前記第１の基準信号に基づいて前記第１のランクを決定し、前記第２のノードから第２の基準信号を受信し、前記第２の基準信号に基づいて前記第２のランクを決定するように構成される、Ｃ４８に記載の装置。
[Ｃ５０]  前記少なくとも１つのプロセッサが、前記第１のノードからの第１の基準信号と前記第２のノードからの第２の基準信号とを同時に受信し、前記第１の基準信号および前記第２の基準信号に基づいて前記第２のランクを決定するように構成される、Ｃ４８に記載の装置。
[Ｃ５１]  第１のランクに基づいて第１のノードによってユーザ装置（ＵＥ）へと送られるデータの第１の送信を識別することと、
前記第１のランクとは異なる第２のランクに基づいて、前記第１のノード、第２のノード、または前記第１のノードと前記第２のノードの両方から、前記ＵＥへと前記データの第２の送信を送ることとを備える、ワイヤレス通信のための方法。
[Ｃ５２]  前記第２のノードにおいてデータの前記第１の送信を受信することと、
前記第１の送信を復号して前記データを復元することと、
前記復元されたデータに基づいて、前記データの前記第２の送信を生成することとをさらに備える、Ｃ５１に記載の方法。
[Ｃ５３]  第１のランクに基づいて第１のノードによってユーザ装置（ＵＥ）へと送られるデータの第１の送信を識別し、前記第１のランクとは異なる第２のランクに基づいて、前記第１のノード、または第２のノード、または前記第１のノードと前記第２のノードの両方から、前記ＵＥへと前記データの第２の送信を送るように構成される、少なくとも１つのプロセッサを備える、ワイヤレス通信のための装置。
[Ｃ５４]  前記少なくとも１つのプロセッサが、前記第２のノードにおいてデータの前記第１の送信を受信し、前記第１の送信を復号して前記データを復元し、前記復元されたデータに基づいて前記データの前記第２の送信を生成するように構成される、Ｃ５３に記載の装置。
【図１】
0005889979.tif 000005
【図２】
0005889979.tif 000006
【図３】
0005889979.tif 000007
【図４】
0005889979.tif 000008
【図５Ａ】
0005889979.tif 000009
【図５Ｂ】
0005889979.tif 000010
【図５Ｃ】
0005889979.tif 000011
【図６】
0005889979.tif 000012
【図７】
0005889979.tif 000013
【図８】
0005889979.tif 000014
【図９】
0005889979.tif 000015
【図１０】
0005889979.tif 000016
【図１１】
0005889979.tif 000017
【図１２】
0005889979.tif 000018
【図１３】
0005889979.tif 000019
【図１４】
0005889979.tif 000020